(57)【要約】【課題】本発明は、情報処理装置の提供を目的とする。【解決手段】情報処理装置は、回路基板(24)を収容するとともに、ボトムケース(4)とトップカバー(5)とを有する導電性の筐体(3)と、筐体のトップカバーに設けられたキーボード装着口(7)と、キーボード装着口に設けられ、筐体に電気的に導通された導通板(164)と、キーボード装着口に取り外し可能に設置され、裏面にシールド板(170)を有するキーボード装置(165)とを備えている。キーボード装置のシールド板は、キーボード装置をキーボード装着部に設置した時に導通板に接触するとともに、この導通板を介して筐体に電気的に導通される。【選択図】      図２
2004259292.tif 000002
【特許請求の範囲】
【請求項１】
回路基板を収容するとともに、ボトムケースとトップカバーとを有する導電性の筐体と、
上記筐体のトップカバーに設けられたキーボード装着部と、
上記キーボード装着部に設けられ、上記筐体に電気的に導通された導通板と、
上記キーボード装着部に取り外し可能に設置され、裏面にシールド板を有するキーボード装置と、を具備し、
上記キーボード装置のシールド板は、上記キーボード装置を上記キーボード装着部に設置した時に上記導通板に接触するとともに、この導通板を介して上記筐体に電気的に導通されることを特徴とする情報処理装置。
【請求項２】
請求項１の記載において、上記回路基板はグラウンド用の配線パターンを有し、上記導通板は上記配線パターンに電気的に導通されているとともに、上記シールド板は上記回路基板を上方から覆っていることを特徴とする情報処理装置。
【請求項３】
請求項１の記載において、上記キーボード装置は、ねじを介して上記キーボード装着部に固定され、この固定により上記シールド板が上記導通板に押し付けられることを特徴とする情報処理装置。
【請求項４】
ボトムケースと、このボトムケースに結合されるとともにキーボード装着部が設けられたトップカバーとを有する導電性の筐体と、
上記筐体に収容される回路基板と、
上記キーボード装着部に設けられ、上記筐体に電気的に導通された導通板と、
上記キーボード装着部に取り外し可能に設置され、裏面にシールド板を有するキーボード装置と、を具備し、
上記キーボード装置は、前縁部とこの前縁部の反対側に位置する後縁部とを有し、これら前縁部および後縁部のうちのいずれか一方に第１の係合部を設けるとともに、他方に第１の取り付け部を設け、
上記トップカバーは、上記キーボード装着部に上記キーボード装置の第１の係合部が取り外し可能に係合される第２の係合部と、上記キーボード装置の第１の取り付け部が載置される第２の取り付け部とを有し、
上記キーボード装置は、上記キーボード装着部に対し上記第１の係合部を先頭にした斜めの姿勢で上記筐体の上方から差し込むことで、上記第１の係合部を上記第２の係合部に係合させるとともに、上記第１の取り付け部を上記第２の取り付け部にねじ止めすることで上記筐体に固定され、上記キーボード装置のシールド板が上記導通板を介して上記筐体に導通されることを特徴とする情報処理装置。
【請求項５】
請求項４の記載において、上記回路基板はグラウンド用の配線パターンを有し、上記導通板は上記配線パターンに電気的に導通されているとともに、上記シールド板は上記回路基板を上方から覆っていることを特徴とする情報処理装置。
【請求項６】
請求項５の記載において、上記シールド板は、上記キーボード装置の第１の取り付け部に対応する位置まで延長された舌片を有し、上記トップカバーの第２の取り付け部は、上記ねじがねじ込まれる導電性のナットを有し、このナットは上記配線パターンに電気的に導通されているとともに、上記舌片は上記ナットに接していることを特徴とする情報処理装置。
【請求項７】
請求項４ないし請求項６のいずれかの記載において、上記ねじは、上記筐体の上方から上記第１の取り付け部に挿通されることを特徴とする情報処理装置。
【請求項８】
請求項７の記載において、上記第１の取り付け部と上記第２の取り付け部とのねじ止め部分は、取り外し可能なカバーで上方から覆われていることを特徴とする情報処理装置。
【請求項９】
前縁部および後縁部を有し、これら前縁部および後縁部のうちのいずれか一方に第１の係合部が設けられ、他方に第１の取り付け部が設けられるとともに、裏面にシールド板を有するキーボード装置と、
ボトムケースと、このボトムケースに結合されるとともに上記キーボード装置が装着されるキーボード装着部が設けられたトップカバーとを有し、上記キーボード装着部に上記キーボード装置の第１の係合部が取り外し可能に係合される第２の係合部と、上記キーボード装置の第１の取り付け部が載置される第２の取り付け部が設けられた導電性の筐体と、
上記筐体に収容される回路基板と、
上記第１の取り付け部を上記第２の取り付け部に保持することで上記キーボード装置を上記キーボード装着部に固定するとともに、上記キーボード装置のシールド板を上記導通板に接触させて、この導通板を介して上記シールド板を上記筐体に電気的に導通させた状態に保つねじと、
上記筐体に取り外し可能に支持され、上記第１の取り付け部と上記第２の取り付け部とのねじ止め部分を上方から覆うカバーと、を具備したことを特徴とする情報処理装置。
【請求項１０】
請求項９の記載において、上記回路基板はグラウンド用の配線パターンを有し、上記導通板は上記配線パターンに電気的に導通されているとともに、上記シールド板は上記回路基板を上方から覆っていることを特徴とする情報処理装置。
【発明の詳細な説明】
【技術分野】
【０００１】
本発明は、ブック形のポータブルコンピュータのような情報処理装置に関する。
【背景技術】
【０００２】
ブック形あるいはノート形のコンピュータのような携帯形の情報処理装置は、持ち運びが容易で、商用電源を得られないような外出先でも自由に使用できるといった利点を有している。
【０００３】
この種の情報処理装置は、回路基板を収容した筐体と、この筐体に支持されたキーボード装置とを備えている。筐体は、キーボード装置を装着するキーボード装着部を有し、このキーボード装着部および筐体の内面に電磁波障害対策として導電性のメッキ処理が施されている。キーボード装置は、回路基板の上方に位置するとともに、その裏面が補強板によって覆われている。補強板は、キーボード装置をキーボード装着部に装着した時に、このキーボード装着部を覆うメッキ層に接触するようになっている。
【発明の開示】
【発明が解決しようとする課題】
【０００４】
しかしながら、従来の構成によると、キーボード装置のシールド板は、単に筐体のメッキ層に接しているにすぎないので、これらシールド板とメッキ層との接触状態が不安定となるといった問題がある。
【０００５】
このため、シールド板と筐体との電気的な導通が妨げられることがあり、回路基板から発せられる高周波ノイズを筐体の内部に封じ込むことができなくなる。
【０００６】
本発明の目的は、筐体とシールド板との電気的な導通が確実となり、回路基板から発せられる高周波ノイズが筐体の外部に漏洩するのを防止できる情報処理装置を得ることにある。
【課題を解決するための手段】
【０００７】
上記目的を達成するため、本発明の一つの形態に係る情報処理装置は、  
回路基板を収容するとともに、ボトムケースとトップカバーとを有する導電性の筐体と、  
上記筐体のトップカバーに設けられたキーボード装着部と、  
上記キーボード装着部に設けられ、上記筐体に電気的に導通された導通板と、  
上記キーボード装着部に取り外し可能に設置され、裏面にシールド板を有するキーボード装置と、を備えている。  
上記キーボード装置のシールド板は、上記キーボード装置を上記キーボード装着部に設置した時に上記導通板に接触するとともに、この導通板を介して上記筐体に電気的に導通されることを特徴としている。
【発明の効果】
【０００８】
本発明によれば、シールド板と筐体との間の電気的な導通が良好となる。この結果、情報処理装置の動作中に回路基板から発せられる高周波ノイズを筐体の内部に封じ込むことができ、高周波ノイズの漏洩に伴う電磁波障害を防止できる。
【発明を実施するための最良の形態】
【０００９】
以下本発明を、図１ないし図４９に示す一実施例にもとづいて説明する。
【００１０】
図１は、Ｂ５サイズのブック形のポータブルコンピュータ１を示している。このコンピュータ１は、ベースユニット２を備えている。ベースユニット２の外郭となる筐体３は、偏平な箱状をなしている。この筐体３は、ボトムケース４と、このボトムケース４に取り外し可能に被せられたトップカバー５とに分割されている。これらボトムケース４およびトップカバー５は、ＡＢＳ樹脂のような合成樹脂材料にて構成されている。
【００１１】
ボトムケース４は、四角形状をなす平坦な底面４ａと、この底面４ａに連なる前面４ｂ、後面４ｃおよび左右の側面４ｄ，４ｅとを備えている。トップカバー５は、底面４ａと対向し合う上面５ａを備えた略平坦な板状をなしており、この上面５ａの前後左右の側縁部がボトムケース４の前面４ｂ、後面４ｃおよび左右の側面４ｄ，４ｅに夫々連なっている。そして、トップカバー５の上面５ａの後端部には、左右一対のディスプレイ支持部５ｂ，５ｃが配置されている。ディスプレイ支持部５ｂ，５ｃは、上面５ａの左右両端部において、この上面５ａから上向きに突出されている。
【００１２】
なお、ボトムケース４およびトップカバー５の内面には、電磁波障害対策としての導電性のメッキが施されている。
【００１３】
トップカバー５の上面５ａは、前半部と後半部とを有している。上面５ａの前半部は、平坦なパームレスト６をなしているとともに、この上面５ａの後半部にキーボード装着口７が開口されている。キーボード装着口７は、後半部の略全面に亘る大きさを有している。このキーボード装着口７の開口後縁と開口側縁とには、図２や図３に示すように、下向きに延びるフランジ部７ａ〜７ｃが一体に形成されている。
【００１４】
キーボード装着口７の開口後縁に位置されたフランジ部７ａには、このフランジ部７ａの下縁に開口する複数の第２の係合部としての切り欠き８ａと、キーボード装着口７内に張り出す複数の支持片８ｂとが形成されている。切り欠き８ａは、キーボード装着口７の左右方向に間隔を存して配置されており、これら切り欠き８ａの間に支持片８ｂが配置されている。
【００１５】
図２、図３および図１１に示すように、キーボード装着口７の開口前縁には、キーボード支持部９が形成されている。キーボード支持部９は、左右方向に延びるとともに、その左右両端がフランジ部７ｂ，７ｃに連なっている。このキーボード支持部９は、トップカバー５の上面５ａよりも一段低い位置に配置されている。
【００１６】
また、キーボード支持部９は、キーボード装着口７内に臨む上面９ａと、この上面９ａに連なる支持面９ｂとを有している。キーボード支持部９の上面９ａは、トップカバー５の上面５ａよりも下方に位置されている。この上面９ａの左右両端と中央の三箇所には、第２の取り付け部としての取り付け凹部１０が一体に形成されており、各取り付け凹部１０の底面に金属製のナット１１が埋め込まれている。
【００１７】
キーボード支持部９の支持面９ｂは、上面９ａの後端縁から下向きに延びてキーボード装着口７に臨んでいる。この支持面９ｂには、複数の支持片１２が左右方向に間隔を存して配置されており、これら支持片１２は、キーボード装着口７内に突出されている。
【００１８】
図２や図５に示すように、筐体３は、バッテリ収容部１３を備えている。バッテリ収容部１３は、パームレスト６の下方において左右方向に延びている。バッテリ収容部１３は、図６に示すように、ボトムケース４の底面４ａ、前面４ｂおよび右側面４ｅに連続して開口するような凹所にて構成されている。このバッテリ収容部１３は、底面４ａに連続して左右方向に延びる起立面１３ａと、この起立面１３ａの左端部に位置される端面１３ｂと、これら起立面１３ａおよび端面１３ｂに連なる天井面１３ｃとによって定められている。そして、起立面１３ａ、端面１３ｂおよび天井面１３ｃは、バッテリ収容部１３と筐体３の内部との間を仕切っており、その端面１３ｂにコネクタ導出口１４が開口されている。
【００１９】
図３や図１０に示すように、ボトムケース４の底面４ａには、複数のボス部１８が立設されている。これらボス部１８は、底面４ａ上の各部に分散配置されているとともに、この底面４ａの下方に向けて開口された開口部１８ａを有している。これらボス部１８の開口部１８ａは、ねじ挿通孔を兼ねており、図１６に示すように、そのうちの二つが底面４ａの後端の左右両側部に位置されている。
【００２０】
また、図１１に代表して示すように、トップカバー５は、下向きに延びる複数のねじ受け部１９を有している。ねじ受け部１９は、トップカバー５をボトムケース４に被せた時に、上記ボス部１８のうちの一部と対向するようになっている。これらねじ受け部１９には、金属製のナット２０が埋め込まれており、このナット２０は、ねじ受け部１９の下端面に露出されている。そして、トップカバー５は、その周縁部をボトムケース４の上縁部に引っ掛けるとともに、複数のボス部１８のうちの一部に下方からねじ２１を挿通し、このねじ２１をナット２０にねじ込むことで、ボトムケース４に結合されている。
【００２１】
図７ないし図９に示すように、ボトムケース４内には、第１ないし第３の回路基板２４〜２６が収容されている。第１の回路基板２４は、システム基板であり、上記バッテリ収容部１３の後方に位置されている。第１の回路基板２４は、その周縁部の複数箇所が底面４ａ上のボス部１８にねじ２１を介して共締めされており、キーボード装着口７の下方に位置されている。この第１の回路基板２４の周縁部は、バッテリ収容部１３の起立面１３ａ、ボトムケース４の右側面４ｅおよび後面４ｃに隣接されている。そして、第１の回路基板２４の上面には、第１の中継コネクタ２７が配置されており、この第１の中継コネクタ２７は、起立面１３ａに隣接した位置において、この起立面１３ａに沿うような姿勢で配置されている。
【００２２】
第２の回路基板２５は、電源基板であり、ボトムケース４内において、その左側面４ｄとバッテリ収容部１３の端面１３ｂとの間に位置されている。第２の回路基板２５は、バッテリ収容部１３の起立面１３ａに沿って右側に延びる延長板部２８を備えており、この延長板部２８を含めた複数箇所が底面４ａ上のボス部１８にねじ２１を介して固定されている。
【００２３】
延長板部２８の上面には、第２の中継コネクタ２９が配置されている。第２の中継コネクタ２９は、起立面１３ａに隣接した位置において、この起立面１３ａに沿うような姿勢で配置されている。このため、起立面１３ａに隣接した位置には、第１の中継コネクタ２７と第２の中継コネクタ２９とが左右に並んで配置されている。
【００２４】
図９に示すように、第２の回路基板２５の延長板部２８は、起立面１３ａに隣接した位置において第１の回路基板２４と底面４ａとの間に入り込んでいる。そのため、第１の回路基板２４と第２の回路基板２５とは、その一部が上下に重ねて配置されており、これら第１および第２の回路基板２４，２５の両面には、ＩＣチップやコンデンサのような多数の回路部品３０が実装されている。
【００２５】
このように二枚の回路基板２４，２５を重ねて配置すれば、実装された回路部品３０を立体的に配置することができ、大きさの限られたボトムケース４内に数多くの回路部品３０を無理なく配置することができる。
【００２６】
第３の回路基板２６は、第１の回路基板２４と第２の回路基板２５とを電気的に接続する中継基板であり、上記起立面１３ａに隣接した位置においてこの起立面１３ａに沿う縦置きの姿勢で配置されている。第３の回路基板２６は、その両端部に第３および第４の中継コネクタ３１，３２を備えている。第３および第４の中継コネクタ３１，３２は、上記第１および第２の中継コネクタ２７，２９に夫々嵌合されている。この嵌合により、第１の回路基板２４と第２の回路基板２５とが電気的に接続されているとともに、第３の回路基板２６自体が縦置きの姿勢に保持されている。
【００２７】
そして、この第３の回路基板２６を始めとして、第１の中継コネクタ２７と第３の中継コネクタ３１との接続部および第２の中継コネクタ２９と第４の中継コネクタ３２との接続部は、キーボード支持部９の下方に位置されてキーボード装着口７から外れている。
【００２８】
図８に示すように、第１および第２の回路基板２４，２５は、上記ボス部１８に当接する複数の導電部３３を有している。導電部３３は、第１および第２の回路基板２４，２５に印刷されたグラウンド用の配線パターン（図示せず）に接続されており、これら回路基板２４，２５をボトムケース４にねじ止めすることにより、導電部３３がボトムケース４の内面のメッキ層に接するようになっている。
【００２９】
したがって、この導電部３３とメッキ層との接触により、ボトムケース４と第１および第２の回路基板２４，２５とが電気的に導通されている。
【００３０】
図８に示すように、第２の回路基板２５に電源コネクタ３６が取り付けられている。電源コネクタ３６は、ボトムケース４のコネクタ導出口１４と向かい合っており、この電源コネクタ３６は、バッテリ収容部１３に露出される複数の接触端子３５を備えている。これら接触端子３５は、バッテリ収容部１３に突没する方向に弾性変形が可能となっており、常時バッテリ収容部１３に突出されている。
【００３１】
図７に示すように、第１の回路基板２４の上面には、メモリカードやインタフェースカードを収容するためのカード収容部３８が形成されている。カード収容部３８は、バッテリ収容部１３の直後であり、かつボトムケース４の右側面４ｅに隣接した位置に配置されている。このカード収容部３８は、カードを保持するとともに、このカードの出し入れをガイドする一対のガイドレール３９ａ，３９ｂを備えている。ガイドレール３９ａ，３９ｂは、互いに平行をなしてボトムケース４の左右方向に延びている。ガイドレール３９ａ，３９ｂの一端は、ボトムケース４の右側面４ｅに隣接されているとともに、これらガイドレール３９ａ，３９ｂの他端の間にカードが取り外し可能に接続されるカードコネクタ４０が配置されている。
【００３２】
カード収容部３８は、カードを取り出すためのイジェクタを備えている。イジェクタは、従来周知のものと同様の構成であり、一方のガイドレール３９ａに支持されたイジェクトボタン４２と、このイジェクトボタン４２に連動するとともに、カードの挿入先端に引っ掛かる図示しない係止爪を有するイジェクト板４３とを備えている。イジェクトボタン４２は、ガイドレール３９ａの一端の横に並んでおり、ボトムケース４の右側面４ｅに隣接されている。
【００３３】
また、第１の回路基板２４の上面には、外部フロッピーディスク駆動装置を接続するためのＦＤＤコネクタ４１が配置されている。ＦＤＤコネクタ４１は、カード収容部３８の後方において、ボトムケース４の右側面４ｅに隣接されている。
【００３４】
図２や図７に示すように、ボトムケース４内には、２．５インチ形のハードディスク駆動装置４４が収容されている。ハードディスク駆動装置４４は、ボトムケース４の後面４ｃと左側面４ｄとで規定される角部に配置され、このボトムケース４内で第１および第２の回路基板２４，２５に隣接されている。そして、ハードディスク駆動装置４４は、フレキシブルな配線基板４５を介して第１の回路基板２４に接続されている。
【００３５】
図７に示すように、ボトムケース４の右側面４ｅには、カード収容部３８に連なるカード挿入口４６と、ＦＤＤコネクタ４１を露出させるコネクタ導出口４７とが前後に並んで開口されている。カード挿入口４６には、ガイドレール３９ａ，３９ｂの一端やイジェクトボタン４２が臨んでおり、このカード挿入口４６は、サイドカバー４８によって開閉される。サイドカバー４８は、ボトムケース４の右側面４ｅに支持されており、上記カード挿入口４６を覆う閉じ位置と、ボトムケース４の右側方に倒れ込んで、カード挿入口４６を開く開き位置とに亘って回動されるようになっている。そして、サイドカバー４８を閉じ位置に回動させると、このサイドカバー４８がボトムケース４の右側面４ｅに沿って起立し、この右側面４ｅの一部を構成する。
【００３６】
また、図１２や図１３に示すように、ボトムケース４の右側面４ｅには、コネクタ導出口４７を開閉する第１のコネクタカバー５０が支持されている。第１のコネクタカバー５０は、その下端の両側部に軸部５１を有し、この軸部５１がコネクタ導出口４７の開口側縁部に回動可能に枢支されている。このため、第１のコネクタカバー５０は、軸部５１を支点としてコネクタ導出口４７を閉じる閉じ位置と、ボトムケース４の右側方に倒れ込んでコネクタ導出口４７を開く開き位置とに亘って回動されるようになっている。そして、第１のコネクタカバー５０が閉じ位置に回動された状態では、この第１のコネクタカバー５０がボトムケース４の右側面４ｅに沿って起立し、この右側面４ｅの一部を構成する。
【００３７】
第１のコネクタカバー５０の下端部内面には、ばね受け部５２が突設されている。このばね受け部５２は、第１のコネクタカバー５０を閉じ位置に回動させた際に、コネクタ導出口４７の内側に入り込むようになっており、このコネクタ導出口４７の内側には、ばね支持部５３が配置されている。ばね支持部５３は、ボトムケース４に一体に形成されており、第１のコネクタカバー５０と対向し合う側面から下面にかけての部分に開口５３ａを有している。そして、この開口５３ａ内には、第１のコネクタカバー５０を閉じ位置に向けてある角度にまで回動させた時に、上記ばね受け部５２が入り込むようになっている。
【００３８】
ばね支持部５３の内部には、第１のコネクタカバー５０を閉じ位置に向けて強制的に回動させる復帰ばね５５が保持されている。復帰ばね５５は、図１３に示すように、金属板を折り曲げて構成したもので、その一端に下向きに張り出すように屈曲された弾性変形が可能な屈曲部５６を一体に備えている。屈曲部５６は、開口５３ａの上縁に位置されており、上記第１のコネクタカバー５０の閉じ方向への回動に伴って、そのばね受け部５２が開口５３ａに入り込んだ時に、ばね受け部５２の上端部に上方から圧接するようになっている。
【００３９】
そして、このばね受け部５２に対する屈曲部５６の圧接位置は、軸部５１よりもコネクタ導出口４７の内側に入り込んでおり、このことにより、第１のコネクタカバー５０に軸部５１を支点に上向きに回動させようとする押圧力が付与される。この押圧力の存在により、図１３の矢印に示すように、第１のコネクタカバー５０が閉じ位置に向けて強制的に回動されるとともに、この閉じ位置に保持される。
【００４０】
なお、第１のコネクタカバー５０を閉じ位置から開き位置に向けて回動させると、このコネクタカバー５０の側方への回動角度がある値に達した時点でばね受け部５２が屈曲部５６から離脱する。ばね受け部５２が屈曲部５６から離脱すると、第１のコネクタカバー５０を閉じ方向に回動させようとする押圧力が消失するので、第１のコネクタカバー５０を開き位置に回動させることができる。
【００４１】
このような第１のコネクタカバー５０は、復帰ばね５５の押圧力により閉じ位置に保持されるので、第１のコネクタカバー５０にボトムケース４に取り外し可能に係止する爪を設ける必要はない。そのため、第１のコネクタカバー５０の開閉を繰り返した場合でも、爪が破損するといった問題は生じないとともに、この破損によって第１のコネクタカバー５０を閉じ位置に保持できなくなるといった不具合を解消することができる。
【００４２】
また、ばね受け部５２が復帰ばね５５の屈曲部５６に引っ掛かった時点で、第１のコネクタカバー５０が復帰ばね５５の押圧力によって閉じ位置に向けて自動的に回動されるので、この第１のコネクタカバー５０を閉じ位置まで完全に押し込む必要はない。したがって、上記のように爪の破損がないことと合わせて、第１のコネクタカバー５０を開閉する際の操作性が向上する。
【００４３】
図１４に示すように、ボトムケース４の後端の壁部となる後面４ｃには、第２のコネクタ導出口６８が開口されている。第２のコネクタ導出口６８は、ボトムケース４の左右方向に延びる横長の開口形状を有し、この第２のコネクタ導出口６８に第１の回路基板２４の後端部が隣接されている。
【００４４】
この第１の回路基板２４の後端部には、例えばＲＳ２３２Ｃ規格のインタフェースを有する外部機器を接続するための接続ポート６１と、プリンタを接続するためのパラレルポート６２と、コンピュータ１の機能を拡張する際に用いる拡張コネクタ６３とが左右方向に一列に並べて実装されている。この拡張コネクタ６３は、その左右両側部に位置決め孔６３ａ，６３ｂを有してる。
【００４５】
第１の回路基板２４の後端部には、接続ポート６１、パラレルポート６２および拡張コネクタ６３を支持する金属製のコネクタパネル６４が取り付けられている。コネクタパネル６４は、第１の回路基板２４に対し起立した姿勢で配置され、この回路基板２４と接続ポート６１、パラレルポート６２および拡張コネクタ６３との接続部分を後方から覆っている。そして、図１４に示すように、接続ポート６１、パラレルポート６２および拡張コネクタ６３は、第２のコネクタ導出口６８を介して筐体３の後方に露出されている。
【００４６】
ボトムケース４には、第２のコネクタ導出口６８を開閉する第２のコネクタカバー６９が支持されている。第２のコネクタカバー６９は、第２のコネクタ導出口６８を閉じる閉じ位置と、第２のコネクタ導出口６８を開く開き位置と、ボトムケース４の底面４ａと第１の回路基板２４との間に入り込む収容位置とに亘って選択的に移動可能となっている。
【００４７】
この第２のコネクタカバー６９の支持構造について説明すると、図１７に示すように、上記コネクタパネル６４は、その下端部に第１の回路基板２４の下側に入り込むように延長された延長部７０を一体に備えている。延長部７０は、ボトムケース４の底面４ａと平行をなしており、この延長部７０の下面と底面４ａとの間に第２のコネクタカバー６９が入り込むカバー収容部７１が形成されている。そして、このカバー収容部７１に第２のコネクタカバー６９を差し込んだ状態では、このコネクタカバー６９が底面４ａと延長部７０との間で挾み込まれ、コネクタカバー６９のがたつきが阻止されるようになっている。
【００４８】
図１８に示すように、ボトムケース４の底面４ａには、カバー収容部７１の左右両側部に位置される一対の側壁７２ａ，７２ｂと、カバー収容部７１の前端に位置される前壁７２ｃとが立設されている。これら各壁７２ａ〜７２ｃは、ボトムケース４の内部においてカバー収容部７１を仕切っており、その側壁７２ａ，７２ｂの後端部は、第２のコネクタ導出口６８の開口側縁部に連なっている。
【００４９】
側壁７２ａ，７２ｂの第２のコネクタ導出口６８側の端部には、前後方向に延びるガイド溝７３が夫々形成されている。このガイド溝７３における第２のコネクタ導出口６８に臨む後端は、ボトムケース４の後面４ｃに開口されることなく閉塞されており、この閉塞端は、円弧状に湾曲された軸受部７３ａをなしている。
【００５０】
また、第２のコネクタカバー６９の両端部には、ガイド溝７３にスライド可能に嵌合される軸部７４ａ，７４ｂが突設されている。軸部７４ａ，７４ｂは、第２のコネクタカバー６９をカバー収容部７１に差し込んだ時に、上記ガイド溝７３から離脱して側壁７２ａ，７２ｂの間でスライド可能に挾み込まれるようになっている。このことにより、カバー収容部７１に第２のコネクタカバー６９を差し込む際において、このコネクタカバー６９の傾きやがたつきが阻止されている。
【００５１】
側壁７２ａ，７２ｂは、第２のコネクタカバー６９の差し込み量を制限するストッパ部７６を夫々備えている。ストッパ部７６は、側壁７２ａ，７２ｂの対向面よりもカバー収容部７１内に張り出しており、この張り出し端が軸部７４ａ，７４ｂと当接するようになっている。この当接により、カバー収容部７１に対する第２のコネクタカバー６９の挿入が制限され、このコネクタカバー６９は、図１５に示すように、その後縁部を第２のコネクタ導出口６８から僅かに突出させた状態でカバー収容部７１に保持される。
【００５２】
カバー収容部７１に保持されている第２のコネクタカバー６９を後方に引き出すと、その軸部７４ａ，７４ｂがガイド溝７３に入り込むとともに、軸受部７３ａに当接する。そのため、第２のコネクタカバー６９は、軸部７４ａ，７４ｂと軸受部７３ａとの当接部を支点として閉じ位置又は開き位置のいずれかに上下方向に回動するようになっている。そして、第２のコネクタカバー６９を閉じ位置に回動させて第２のコネクタ導出口６８を閉じた状態では、このコネクタカバー６９が後面４ｃに沿って起立し、この後面４ｃの一部を構成する。
【００５３】
なお、第２のコネクタカバー６９は、ラッチ７７を備えている。このラッチ７７は、第２のコネクタカバー６９を閉じ位置に回動させた時に、トップカバー５の後縁に引っ掛かって、第２のコネクタカバー６９を閉じ位置に保持するようになっている。
【００５４】
第２のコネクタカバー６９を閉じ位置から開き位置に回動させるには、その上縁に指先を引っ掛けて、この第２のコネクタカバー６９を後方に引っ張る。すると、この第２のコネクタカバー６９は、軸部７４ａ，７４ｂと軸受部７３ａとの当接部を支点に後方に向けて回動し、図１４に示すように、ボトムケース４の後方に略水平に倒れ込む。この状態で第２のコネクタカバー６９を前方に押し込むと、第２のコネクタカバー６９はガイド溝７３をガイドとして前方にスライドし、カバー収容部７１に差し込まれる。
【００５５】
図１９に示すように、上記コンピュータ１は、外部ＣＲＴディスプレイを接続するためのＲＧＢアダプタ８０を備えている。ＲＧＢアダプタ８０は、図２０に示すような箱状のアダプタ本体８１を備えている。アダプタ本体８１は、互いに対向し合う前面８１ａと後面８１ｂおよびこれら両面８１ａ，８１ｂの間に跨がる上面８１ｃを備えている。前面８１ａには、拡張コネクタ６３に取り外し可能に接続されるインタフェースコネクタ８２が配置されているとともに、後面８１ｂには、外部ＣＲＴディスプレイを接続するＲＧＢコネクタ８３が配置されている。
【００５６】
アダプタ本体８１の前面８１ａには、ロック爪８４が配置されている。ロック爪８４は、インタフェースコネクタ８２を拡張コネクタ６３に接続した時に、コネクタパネル６４の係止孔８５に取り外し可能に係止されるようになっており、この係止により、ＲＧＢアダプタ８０がコンピュータ１に保持される。このロック爪８４は、アダプタ本体８１の上面８１ｃの解除レバー８６を後方にスライドさせることで係止孔８５との係止が解除され、それにより、ＲＧＢアダプタ８０をコンピュータ１から取り外せるようになっている。
【００５７】
図７や図１４に示すように、ボトムケース４の後面４ｃには、電源コネクタ８８が配置されている。電源コネクタ８８は、第１の回路基板２４の上面に取り付けられており、この電源コネクタ８８に商用電源に連なるＡＣアダプタのプラグが差し込まれるようになっている。
【００５８】
図１６に示すように、ボトムケース４の底面４ａの後端部には、左右一対の係合口９０ａ，９０ｂが開口されている。係合口９０ａ，９０ｂは、ボトムケース４の前後方向に延びる長孔状をなしている。そして、係合口９０ａ，９０ｂは、ボトムケース４を後方から見た場合に、拡張コネクタ６３の左右両側に振り分けて配置されている。
【００５９】
図４７に示すように、係合口９０ａ，９０ｂは、第１の回路基板２４の下方に位置されている。これら係合口９０ａ，９０ｂのボトムケース４内への開口端には、金属製の端子片９１が配置されている。端子片９１は、上記コネクタパネル６４の延長部７０の左右両端部に連なる端子支持部９２の下面にスポット溶接等の手段により固着され、延長部７０ひいてはコネクタパネル６４と電気的に導通されている。
【００６０】
図１に示すように、ボトムケース４のバッテリ収容部１３には、バッテリパック１００が取り外し可能に装着されている。バッテリパック１００は、コンピュータ１をコードレスで使用する場合に、その駆動用電源となるものであって、充電式となっている。バッテリパック１００は、図示しないニッカドバッテリを内蔵したケース１０１を備えており、このケース１０１は、バッテリ収容部１３と略等しい形状をなしている。
【００６１】
このため、バッテリパック１００をバッテリ収容部１３に装着した状態では、ケース１０１の外周面１０１ａがボトムケース４の底面４ａ、前面４ｂおよび右側面４ｅに面一に連続し、これら各面４ａ，４ｂ，４ｅの一部を夫々構成するようになっている。そして、このようにバッテリ収容部１３をボトムケース４の三つの面に連続して開放させれば、ボトムケース４内でのバッテリ収容部１３の占有スペースを少なくすることができ、このボトムケース４内の実装スペースを何等犠牲にすることなく、ボトムケース４のコンパクト化を達成できる。
【００６２】
図２２に示すように、バッテリパック１００は、バッテリ収容部１３の端面１３ｂと対向し合う先端面に、接触端子３５に接触する複数の信号および電源用の端子１０４を備えてる。また、図６に示すように、バッテリパック１００のケース１０１は、バッテリ収容部１３の天井面１３ｃと対向し合う上面１０１ｂを有している。この上面１０１ｂの両側部には、バッテリパック１００の長手方向に延びるガイド凸部１０２ａ，１０２ｂが突設されている。各ガイド凸部１０２ａ，１０２ｂは、複数の第１の係合部１０３を有し、これら第１の係合部１０３は、バッテリパック１００の長手方向に間隔を存して配置されている。
【００６３】
バッテリ収容部１３の天井面１３ｃは、ガイド凸部１０２ａ，１０２ｂが入り込むガイド凹部１０５ａ，１０５ｂを有している。ガイド凹部１０５ａ，１０５ｂは、バッテリパック１００のバッテリ収容部１３の長手方向に沿って延びている。これらガイド凹部１０５ａ，１０５ｂは、複数の第２の係合部１０６を有し、これら第２の係合部１０６は、ガイド凹部１０５ａ，１０５ｂの長手方向に間隔を存して配置されている。
【００６４】
そして、第２の係合部１０６は、バッテリパック１００をバッテリ収容部１３に嵌め込んだ後、その端子１０４を接触端子３５に接触させる方向にスライドさせた時に、第１の係合部１０３と係合するようになっており、この係合により、バッテリパック１００がバッテリ収容部１３に保持される。
【００６５】
バッテリ収容部１３の起立面１３ａには、バッテリ収容部１３内に突没可能なロック片１０７が配置されている。ロック片１０７は、バッテリ収容部１３におけるボトムケース４の右側面４ｅへの開口端に位置されており、このロック片１０７は、図示しないスプリングにより常時バッテリ収容部１３に向けて突出されている。ロック片１０７は、バッテリパック１００をバッテリ収容部１３に完全に装着した時に、ケース１０１に形成された凹部１０８に係合するようになっており、この係合により、バッテリパック１００がバッテリ収容部１３に抜け止め保持される。
【００６６】
図１６に示すように、ボトムケース４の底面４ａには、ロック片１０７に連動する解除レバー１０９が配置されている。解除レバー１０９は、ロック片１０７をバッテリ収容部１３に向けて突出させるロック位置と、ロック片１０７をバッテリ収容部１３から離脱させるロック解除位置とに亘ってスライド可能にボトムケース４に支持されている。このため、解除レバー１０９をロック位置にスライドさせると、ロック片１０７がバッテリ収容部１３から退避し、凹部１０８との係合が解除される。これにより、バッテリパック１００をバッテリ収容部１３から取り外すことができる。
【００６７】
なお、ボトムケース４の底面４ａには、解除レバー１０９をロック位置に保持するためのロックレバー１１０が配置されている。
【００６８】
また、図７や図２１に示すように、バッテリ収容部１３の天井面１３ｃには、バッテリパック１００のロックを解除した時に、このバッテリパック１００の飛び出しを防ぐストッパ１１５が配置されている。
【００６９】
ストッパ１１５は、合成樹脂製のストッパ本体１１６と、このストッパ本体１１６を押圧するスプリング１１７とを備えている。ストッパ本体１１６は、その一端に係合爪１１８を有するとともに、この係合爪１１８とは反対側の端部が天井面１３ｃに枢軸１１９を介して上下方向に回動可能に枢支されている。そして、係合爪１１８は、天井面１３ｃに開けた通孔１２０を通じてバッテリ収容部１３に突没可能に突出されている。このため、ストッパ本体１１６は、バッテリ収容部１３に突出する第１の位置と、このバッテリ収容部１３から退避する第２の位置との間に亘って上下方向に回動可能となっている。
【００７０】
また、スプリング１１７は、図２２に示すように、ストッパ本体１１６とトップカバー５の上面５ａとの間に介在されて、ストッパ本体１１６を第１の位置に向けて回動付勢している。この付勢により、ストッパ本体１１６の係合爪１１８が常時通孔１２０からバッテリ収容部１３内に突出されている。
【００７１】
このため、図２２の（ａ）に示すように、バッテリ収容部１３にバッテリパック１００が完全に装着され、このバッテリパック１００の端子１０４が接触端子３５に接している状態では、上記係合爪１１８は、バッテリパック１００の上面１０１ｂのガイド凸部１０２ａに対し接触端子３５とは反対側から向かい合っている。
【００７２】
バッテリパック１００がバッテリ収容部１３に装着された状態において、解除レバー１０９を操作してバッテリパック１００のロックを解除すると、接触端子３５は常時バッテリ収容部１３に突出する方向に付勢されているので、図２２の（ｂ）に示すように、バッテリパック１００が接触端子３５から離間する方向に押し出される。すると、バッテリパック１００の第１の係合部１０３がバッテリ収容部１３の第２の係合部１０６から外れることがあり得る。
【００７３】
しかるに、上記構成においては、ストッパ本体１１６の係合爪１１８がバッテリ収容部１３の天井面１３ｃから常時突出され、バッテリパック１００のガイド凸部１０２ａと向かい合っているので、図２２の（ｂ）に示すように、バッテリパック１００が接触端子３５によって押し出されると、その第１の係合部１０３と第２の係合部１０６との係合が外れる以前に、ガイド凸部１０２ａが係合爪１１８に引っ掛かる。これにより、バッテリパック１００の押し出しが阻止され、第１の係合部１０３と第２の係合部１０６との係合が維持される。このため、バッテリパック１００の飛び出しおよびそれに伴うバッテリパック１００の不意な脱落を阻止することができる。
【００７４】
バッテリパック１００をバッテリ収容部１３から取り外すには、バッテリパック１００を手指で握持して接触端子３５から離脱する方向に強制的にスライドさせる。すると、図２３に示すように、係合爪１１８がガイド凸部１０２ａに乗り上げ、ストッパ本体１１６がスプリング１１７に抗して上向きに回動されるので、この係合爪１１８とガイド凸部１０２ａとの係合が解除される。このため、第１の係合部１０３が第２の係合部１０６から離脱する方向にバッテリパック１００を引き抜くことができ、バッテリ収容部１３からのバッテリパック１００の取り出しが可能となる。
【００７５】
また、バッテリパック１００の飛び出しを防止するストッパ１１５は、天井面１３ｃに枢支されたストッパ本体１１６と、このストッパ本体１１６を押圧するスプリング１１７とに分割されているので、設定荷重の異なるスプリング１１７を何種類か用意しておき、その中から適当なスプリング１１７を選択すれば、バッテリパック１００に対するストッパ本体１１６の引っ掛かり強度を変化させることができる。
【００７６】
このため、ストッパ１１５をバッテリ収容部１３に一体成形する場合に比べて、バッテリパック１００の重量に応じた引っ掛かり強度を容易に得ることができる。すなわち、ストッパ１１５をバッテリ収容部１３に一体成形すると、バッテリパック１００に対する引っ掛かり強度を変える度に、トップカバー５の成形金型の型構造を変更する必要があるけれども、上記構成によれば、単にスプリング１１７を交換することで対処できる。
【００７７】
しかも、スプリング１１７がへたる等して引っ掛かり強度が低下した場合には、このスプリング１１７のみを交換すれば良く、バッテリパック１００の飛び出し防止機能を長期に亘り良好に維持することができる。
【００７８】
図２４に示すように、バッテリ収容部１３は、このバッテリ収容部１３からバッテリパック１００が取り出されている時に、天井面１３ｃを支える支持脚１２５を備えている。支持脚１２５は、板状をなす脚本体１２６を有し、この脚本体１２６の一端の図示しない軸部が天井面１３ｃに回動可能に連結されている。
【００７９】
このため、脚本体１２６は、天井面１３ｃと平行をなすように回動される格納位置と、この天井面１３ｃから下向きに突出される使用位置とに亘って回動可能となっている。そして、この脚本体１２６を使用位置に回動させた状態では、脚本体１２６の下端の接地面１２６ａが、ボトムケース４の右側面４ｅ側に偏った位置において、このボトムケース４の底面４ａと同一平面上に位置されるようになっている。
【００８０】
バッテリ収容部１３の天井面１３ｃには、脚本体１２６を閉じ位置に回動させた時に、この脚本体１２６が入り込む格納凹所１２７が形成されている。図２５に示すように、格納凹所１２７に脚本体１２６が入り込んだ状態では、脚本体１２６の下面が天井面１３ｃに面一に連続するようになっている。格納凹所１２７は、脚本体１２６よりもやや大きな形状を有し、この格納凹所１２７と脚本体１２６の下端の接地面１２６ａとの間には、隙間１２８が形成されている。この隙間１２８は、格納凹所１２７に入り込んだ脚本体１２６を引き起こす際に、指先を挿入するためのもので、この指先を脚本体１２６の接地面１２６ａに引っ掛けることで、脚本体１２６を使用位置に向けて引き出すことができる。
【００８１】
隙間１２８を規定する格納凹所１２７の底面には、係止片１２９が突設されている。係止片１２９は、脚本体１２６を格納位置に回動させた際に、この脚本体１２６に取り外し可能に引っ掛かり、脚本体１２６を格納位置に保持するようになっている。
【００８２】
また、図１や図１０に示すように、ボトムケース４には、バッテリ収容部１３の側方への開口端部に位置して、板金製の補強金具１３３が取り付けられている。この補強金具１３３は、バッテリ収容部１３からバッテリパック１００が取り外されている時に、このバッテリ収容部１３の側方への開口端部を補強するためのもので、第１の補強部１３３ａと第２の補強部１３３ｂとを一体に有している。第１の補強部１３３ａは、天井面１３ｃの上面に重ねられてバッテリ収容部１３の幅方向に延びているとともに、第２の補強部１３３ｂは、起立面１３ａの内面に重ねられて上下方向に延びている。
【００８３】
第１の補強部１３３ａと天井面１３ｃとの重なり部分には、バッテリ収容部１３側からねじ１３４が挿通されている。このねじ１３４の挿通端は、パームレスト６の内面のボス部１３５にねじ込まれており、これにより、バッテリ収容部１３とパームレスト６とが結合されている。また、第２の補強部１３３ｂの下端には、支持片１３７が一体に形成されている。支持片１３７は、図１０に示すように、ボス部１８と第１の回路基板２４との間に介在され、ねじ２１を介して共締めされている。
【００８４】
このため、補強金具１３３は、その第１の補強部１３３ａが天井面１３ｃとパームレスト６との間で挾み込まれており、バッテリ収容部１３の補強と同時にパームレスト６の補強も兼ねている。
【００８５】
一方、図１に示すように、トップカバー５のディスプレイ支持部５ｂ，５ｃには、ディスプレイユニット１４１が支持されている。ディスプレイユニット１４１は、薄い箱状をなすハウジング１４２と、このハウジング１４２内に収容された液晶ディスプレイ１４３とを備えており、このハウジング１４２の前面に液晶ディスプレイ１４３を露出させる表示窓１４４が開口されている。
【００８６】
ハウジング１４２は、ディスプレイ支持部５ｂ，５ｃの間に介在される連結部１４５を備えている。この連結部１４５の左右両端部は、夫々図示しないヒンジ装置を介してディスプレイ支持部５ｂ，５ｃに連結されている。
【００８７】
このため、ディスプレイユニット１４１は、筐体３のパームレスト６やキーボード装着口７を上方から覆う第１の位置と、キーボード装着口７の後方で起立する第２位置と、筐体３の後方に略水平に倒れ込む第３の位置とに亘って略１８０゜の範囲で回動可能となっている。そして、図１６に示すように、ディスプレイユニット１４１を第１の位置に回動させた状態では、このディスプレイユニット１４１のハウジング１４２が筐体３の前面や左右側面に略面一に連続し、コンピュータ１が携帯に便利な箱形状をなすようになっている。
【００８８】
図２６に示すように、トップカバー５の内側には、液晶ディスプレイ１４３に連なるケーブル１４７が引き回されている。ケーブル１４７は、トップカバー５の内側において、キーボード装着口７の開口後縁に沿って左右方向に延びており、このケーブル１４７の外周には、ケーブル１４７を保護する筒状のコア１４８が装着されている。そして、このケーブル１４７の先端は、上記第１の回路基板２４の上面のディスプレイコネクタ１４９（図２に図示）に接続されている。
【００８９】
図２６や図２７に示すように、トップカバー５の後端部内面には、第２のシールド板としての板金製の後部シールド板１５５が取り付けられている。後部シールド板１５５は、キーボード装着口７の開口後縁に沿って左右方向に延びており、その左右両端部が上記ヒンジ装置を支持する金属製のブラケット１５６に夫々ねじ止めされている。この後部シールド板１５５は、第１の回路基板２４の後端の接続ポート６１、パラレルポート６２および拡張コネクタ６３の上方に位置されており、この後部シールド板１５５の後端は、コネクタパネル６４の上端に接している。
【００９０】
このため、後部シールド板１５５は、コネクタパネル６４と協働して第１の回路基板２４と接続ポート６１、パラレルポート６２および拡張コネクタ６３との接続部分を一体的に取り囲んでおり、筐体３の後部からの高周波ノイズの漏洩を防止している。
【００９１】
図２７に示すように、後部シールド板１５５は、上記ケーブル１４７のコア１４８の下方に回り込むように延長されたケーブルガイド１５７と、キーボード装着口７の開口後縁に臨む導通片１５８とを一体に備えている。ケーブルガイド１５７は、コア１４８をトップカバー５の上面５ａとの間で挾み込むことで上記ケーブル１４７の挿通位置を定めている。
【００９２】
このようにケーブル１４７の近傍に位置する後部シールド板１５５に、コア１４８を保持するケーブルガイド１５７を一体に形成すれば、このコア１４８を保持する専用の保持部材やその取り付け構造が不要となり、その分、部品点数を削減して筐体３の内部構造を簡略化することができる。
【００９３】
図２６に示すように、トップカバー５の内面には、金属製の左右一対のキーボード支持板１６１，１６２がねじ止めされている。キーボード支持板１６１，１６２は、キーボード装着口７の左右の開口側縁に沿うように配置されている。そして、右側のキーボード支持板１６１は、上記ヒンジ装置のブラケット１５６と一体化されているとともに、左側のキーボード支持板１６２は、その後端がブラケット１５６にねじ止めされている。このため、左右のキーボード支持板１６１，１６２は、ブラケット１５６を介して後部シールド板１５５と電気的に導通されている。また、左側のキーボード支持板１６２の上面には、複数の導通片１６３ａを有する導通板１６４（図２に示す）が配置されている。
【００９４】
図２ないし図４に示すように、キーボード装着口７には、筐体３の上方から情報の入力手段としてのキーボード装置１６５が取り外し可能に装着されている。キーボード装置１６５は、合成樹脂製のキーボードボデー１６６を備えている。キーボードボデー１６６は、キーボード装着口７に嵌合可能な平坦な長方形板状をなしており、このキーボードボデー１６６の上面に多数のキー１６７とポインティングデバイスの一種であるジョイスティック１６８とが配置されている。
【００９５】
また、キーボードボデー１６６の下面は、金属製の第１のシールド板１７０によって覆われている。第１のシールド板１７０は、キー操作によるスイッチングノイズの漏洩を防止するためのもので、キーボードボデー１６６を補強する機能も有している。
【００９６】
キーボードボデー１６６の後縁部には、複数の第１の係合部としての係合片１７１が突設されている。これら係合片１７１は、キーボードボデー１６６の左右方向に間隔を存して配置されており、キーボード装置１６５をキーボード装着口７に装着した際に、上記切り欠き８ａに取り外し可能に係合するようになっている。
【００９７】
キーボードボデー１６６の前縁部には、複数の第１の取り付け部としての取り付け片１７２が突設されている。これら取り付け片１７２は、キーボードボデー１６６の左右方向に間隔を存して配置されており、キーボード装置１６５をキーボード装着口７に装着した際に、上記キーボード支持部９の取り付け凹部１０に嵌合されるようになっている。そして、図１１に示すように、第１のシールド板１７０の前縁には、取り付け片１７２の下方に張り出すように延長された複数の舌片１７３が一体に形成されている。これら舌片１７３は、取り付け片１７２の下面に重ね合わされており、上記取り付け凹部１０の底面やナット１１に接している。
【００９８】
このようなキーボード装置１６５は、次のような手順でキーボード装着口７に装着される。
【００９９】
すなわち、図４に示すように、キーボード装置１６５は、キーボード装着口７に対し、そのキーボードボデー１６６の後縁を先頭にした斜めの姿勢で上方から差し込まれる。この差し込みにより、まず係合片１７１を切り欠き８ａに係合させるとともに、キーボードボデー１６６の前縁を支持片８ｂの上面に引っ掛ける。
【０１００】
この状態で、キーボードボデー１６６の後縁と支持片８ｂとの引っ掛け部を支点としてキーボード装置１６５を下向きに回動させ、キーボードボデー１６６をキーボード装着口７に嵌合させる。この嵌合により、キーボード装置１６５の前部では、その取り付け片１７２が取り付け凹部１０に嵌まり合い、舌片１７３がナット１１に接触するとともに、第１のシールド板１７０の下面の前縁部が支持片１２によって支持される。
【０１０１】
また、キーボード装置１６５の左右両側部では、第１のシールド板１７０の下面がキーボード支持板１６１，１６２および導通板１６４の上面に接触し、これらキーボード支持板１６１，１６２によって支持される。同様に、キーボード装置１６５の後端部では、第１のシールド板１７０の下面が導通片１５８や支持片８ｂに接触し、この支持片８ｂによって支持される。
【０１０２】
このため、キーボード装置１６５は、そのキーボードボデー１６６の前後左右の側縁部によってキーボード装着口７の内側に支持されることになり、キーボード装着口７内でのキーボード装置１６５の傾きやがたつきが阻止される。
【０１０３】
このようにしてキーボード装着口７へのキーボード装置１６５の組み込みが完了したならば、取り付け片１７２にねじ１７４を挿通し、このねじ１７４の挿通端をナット１１，２０にねじ込む。このねじ込みにより、第１のシールド板１７０がナット１１，２０、キーボード支持板１６１，１６２、導通板１６４および導通片１５８に接触した状態に保持され、トップカバー５へのキーボード装置１６５の取り付けが完了する。
【０１０４】
そして、キーボード装置１６５の取り付けが完了した状態では、その第１のシールド板１７０がボトムケース４上の第１の回路基板２４やハードディスク駆動装置４４を上方から覆うようになっている。
【０１０５】
このようなキーボード装置１６５の取り付け構造によれば、キーボードボデー１６６の前縁と後縁がキーボード装着口７の開口縁部に保持されるので、このキーボード装着口７に対するキーボード装置１６５の取り付け位置が精度良く定まる。このため、キーボード装置１６５の取り付け部分の外観が良好となるとともに、キーボード装置１６５をキーボード装着口７にしっかりと固定できる。
【０１０６】
しかも、キーボード装置１６５をトップカバー５にねじ止めしたことにより、第１のシールド板１７０がキーボード支持板１６１，１６２、導通板１６４および後部シールド板１５５の導通片１５８に押し付けられ、これら両者の接触状態を良好に維持できる。このため、第１の回路基板２４の上方から後方にかけてを連続して覆う第１のシールド板１７０、後部シールド板１５５およびコネクタパネル６４が互いに電気的に導通されるので、コンピュータ１の動作中に第１の回路基板２４から発せられる高周波ノイズを筐体３内に封じ込むことができ、この高周波ノイズの漏洩に伴う電磁波障害を防止できる。
【０１０７】
それとともに、上記構成では、第１のシールド板１７０の前縁にキーボードボデー１６６の取り付け片１７２の下面に重ね合わされる舌片１７３を一体に形成し、上記取り付け片１７２をキーボード支持部９の取り付け凹部１０にねじ止めした時に、上記舌片１７３をナット１１に接触させている。そして、このナット１１は、第１の回路基板２４上の導電部３３を介してグラウンド用の配線パターンに導通されているので、キーボード装置１６５をそのトップカバー５への取り付け部を利用して接地させることができる。
【０１０８】
このため、キーボード装置１６５を接地させるための格別なリード線やコネクタ類を省略できる。それとともに、キーボード装置１６５の固定と同時にその接地作業が完了するので、その分、作業工数も少なくて済み、コンピュータ１の組み立て作業を容易に行うことができる。
【０１０９】
図２８に示すように、キーボード装着口７の開口前縁には、キーボード支持部９の上面９ａを上方から覆い隠すカバー１８１が取り外し可能に係止されている。このカバー１８１は、キーボード装着口７に沿って左右方向に延びており、トップカバー５のパームレスト６とキーボード装置１６５の最前列のキー１６７との間に介在されている。そして、このカバー１８１の上面は、パームレスト６の上面に連続し、このパームレスト６の一部となっている。
【０１１０】
このようなカバー１８１を設けたことにより、キーボード装置１６５を固定するねじ１７４やキーボードボデー１６６とキーボード支持部９との嵌合部を覆い隠すことができ、トップカバー５の上面５ａとキーボード装置１６５との一体感を得ることができる。
【０１１１】
図２９や図３０に示すように、パームレスト６の中央部には、液晶ディスプレイ１４３上に表示されたコマンドの取り消しおよび実行を行う操作ボタン１８５，１８６が前後に並べて配置されている。操作ボタン１８５，１８６は、指先で押圧する押圧部１８５ａ，１８６ａを有している。押圧部１８５ａ，１８６ａは、連結部１８７によって互いに連結されており、これら押圧部１８５ａ，１８６ａと連結部１８７とは、合成樹脂材料にて一体成形されている。連結部１８７は、上下方向に弾性変形が可能となっており、その前端がパームレスト６の下面にかしめ等の手段により固定されている。そして、押圧部１８５ａ，１８６ａは、パームレスト６に開けた貫通孔１８８，１８９を通じてこのパームレスト６の上面に露出されている。
【０１１２】
このため、指先で押圧部１８５ａ，１８６ａを押圧すると、連結部１８７が下向きに弾性変形し、押圧部１８５ａ，１８６ａが押し込まれるようになっている。
【０１１３】
図３０に示すように、操作者の手元側に位置された一方の操作ボタン１８５は、その押圧部１８５ａの肉厚が近い他方の操作ボタン１８６の押圧部１８６ａの肉厚に比べて薄くなっている。そのため、一方の操作ボタン１８５の押圧部１８５ａは、他方の操作ボタン１８６の押圧部１８６ａよりも低い位置に配置されている。
【０１１４】
パームレスト６の上面は、上記一方の操作ボタン１８５の周囲において凹んでおり、この凹み部分は、指先を置くための第１の指置き部１９１をなしている。そして、この第１の指置き部１９１の底面に押圧部１８５ａが位置されているとともに、この底面の周縁部は、滑らかな曲率を描いてパームレスト６の上面に連なっている。
【０１１５】
また、このパームレスト６の上面は、他方の操作ボタン１８６とキーボード装置１６５の最前列のキー１６７との間において上方に突出されており、この突出部分は、指先を置くための第２の指置き部１９２をなしている。第２の指置き部１９２は、滑らかな曲率を描いてパームレスト６の上面に連なっており、前後左右方向への指先の移動を容易に行えるようになっている。
【０１１６】
このような操作ボタン１８５，１８６は、パームレスト６の上面に露出される押圧部１８５ａ，１８６ａの高さを互いに異ならせてあるので、夫々の操作ボタン１８５，１８６の機能さえ認識しておけば、コマンドの取り消しおよび実行操作を液晶ディスプレイ１４３を見ながらブラインドタッチで行うことができる。
【０１１７】
しかも、パームレスト６の上面には、上記操作ボタン１８５，１８６の周囲に位置して、凹凸からなる第１および第２の指置き部１９１，１９２が存在するので、操作ボタン１８５，１８６の位置をパームレスト６を見ることなく指先を移動するだけで容易に確認できる。そのため、入力操作中に視線をずらして操作ボタン１８５，１８６の位置を確認する必要もなくなり、操作性が良好となる。
【０１１８】
図７や図９に示すように、操作ボタン１８５，１８６は、バッテリ支持部１３の天井面１３ｃの真上に位置されている。この天井面１３ｃの上面には、操作ボタン１８５，１８６の押圧部１８５ａ，１８６によってＯＮ，ＯＦＦされる一対のスイッチ１９５，１９６が配置されている。スイッチ１９５，１９６は、フレキシブルな配線基板１９７に支持されている。
【０１１９】
配線基板１９７は、天井面１３ｃの上面に重ねられており、この配線基板１９７は、第３の回路基板２６に向けて延びる接続片部１９８を一体に備えている。配線基板１９７には、接続片部１９８を含めてスイッチ１９５，１９６に連なる配線パターン（図示せず）が印刷されている。そして、配線基板１９７の接続片部１９８は、バッテリ収容部１３の起立面１３ａに沿って下向きに導かれており、この接続片部１９８の先端が第３の回路基板２６上の接続コネクタ１９９に上方から取り外し可能に接続されている。このため、接続片部１９８が第１の回路基板２４の上方に大きく張り出すことはない。
【０１２０】
図７に示すように、天井面１３ｃの上面には、配線基板１９７の取り付け部に隣接して第１の電池収容部２００が形成されている。この電池収容部２００には、ＲＴＣ（リアルタイムクロック）電池２０１が取り付けられている。ＲＴＣ電池２０１に連なるケーブル２０２は、天井面１３ｃの上面に沿って配線されており、このケーブル２０２の先端のコネクタ２０３が第１の回路基板２４に取り外し可能に接続されている。
【０１２１】
また、ボトムケース４内には，バッテリ収容部１３の起立面１３ａと第１の回路基板２４の一側縁部との間に位置して、レジューム機能を設定するためのサブバッテリ２０６が取り出し可能に収容されている。サブバッテリ２０６には、ケーブル２０７を介してコネクタ２０８が接続されており、このコネクタ２０８は、第２の回路基板２５の延長板部２８に取り外し可能に接続されている。そして、第１の回路基板２４とＲＴＣ電池２０１との接続部および第２の回路基板２５とサブバッテリ２０６との接続部は、バッテリ収容部１３の起立面１３ｂに近接されており、キーボード装置１６５の下方への張り出しが極力少なく抑えられている。
【０１２２】
そのため、上記第１ないし第３の回路基板２４〜２６の接続部がキーボード支持部９の下方に位置されていることと合わせて、キーボード装置１６５と第１の回路基板２４との間にコネクタや配線類が大きく張り出さずに済み、第１の回路基板２４上の大部分を回路部品３０の実装スペースとして活用できる。
【０１２３】
しかも、配線基板１９７の接続片部１９８、ＲＴＣ電池２０１のケーブル２０２およびサブバッテリ２０６のケーブル２０７は、全て起立面１３ｂに隣接した位置で第１ないし第３の回路基板２４〜２６に接続され、これらの接続作業をボトムケース４の上方から一括して行えるので、この接続作業を行う際に、ボトムケース４の向きを変えたりする必要はなく、大きさの限られたボトムケース４内での接続作業を容易に行うことができる。
【０１２４】
図１、図３１および図３２に示すように、トップカバー５の上面５ａの後半部には、アイコン２１５が配置されている。アイコン２１５は、ディスプレイユニット１４１を第２の位置に回動させた時に、このディスプレイユニット１４１とキーボード装置１６５との間に露出されるようになっており、本実施例の場合は、操作者が見易いようにトップカバー５の上面５ａの左右方向に沿う中央部に位置されている。
【０１２５】
アイコン２１５は、透光性を有する長方形状のアイコン基板２１６を有し、このアイコン基板２１６上には、コンピュータ１の動作状態や機能の内容を図柄で表示する複数の表示部２１７が左右方向に間隔を存して描かれている。そして、アイコン基板２１６は、トップカバー５の上面５ａに接着等の手段により固定されている。
【０１２６】
トップカバー５の上面５ａには、開口部２１８が開口されている。開口部２１８は、アイコン基板２１６の複数の表示部２１７と対向し合うように左右方向に延びており、この開口部２１８の開口前縁には、下向きに延びる遮光壁２２０が形成されている。また、トップカバー５の内面には、表示部２１７の間に介在される複数の仕切り壁２２１が一体に形成されている。これら仕切り壁２２１の前端は、遮光壁２２０に連なっている。このため、隣り合う表示部２１７は、遮光壁２２０と仕切り壁２２１とによって互いに区画されている。
【０１２７】
トップカバー５の内部には、開口部２１８と向かい合うダイオード基板２２４が収容されている。ダイオード基板２２４は、図３２に示すように、トップカバー５の上面５ａと後部シールド板１５５との間に位置されている。そして、本実施例のダイオード基板２２４は、後部シールド板１５５と共にトップカバー５にねじ止めされており、このダイオード基板２２４の上面が遮光壁２２０および仕切り壁２２１に接している。
【０１２８】
図３３に示すように、ダイオード基板２２４は、フレキシブルな配線基板２２５と、この配線基板２２５の下面に張り付けられた補強板２２６とを備えている。配線基板２２５は、補強板２２６の側方に延びる延長片部２２５ａを有し、この接続片部２２５ａは、ボトムケース４内に導かれて第１の回路基板２４に接続されている。
【０１２９】
配線基板２２５の上面には、複数の発光ダイオード２２７が左右方向に間隔を存して配置されている。発光ダイオード２２７は、アイコン２１５の光源となるもので、夫々の表示部２１７の下方に対応して位置されている。このため、発光ダイオード２２７が発光されると、それに対応した表示部２１７が点灯し、コンピュータ１の動作状態が表示されるようになっている。
【０１３０】
また、図３３に示すように、配線基板２２５は、発光ダイオード２２７の周囲に補強部２２９を有している。この補強部２２９は、光反射性を有するアルミ蒸着膜からなり、その一部が開口部２１８を介して表示部２１７と対向されている。
【０１３１】
このため、発光ダイオード２２７から発せられた光のうち、トップカバー５の内側に漏れた光は、補強部２２９上で反射されて表示部２１７に向かう光となり、その分、表示部２１７に向かう光量が多くなる。よって、表示部２１７の輝度が向上し、この表示部２１７の視認性が向上する。
【０１３２】
また、上記アイコン２１５の構成によると、複数の表示部２１７は、一枚のアイコン基板２１６上に描かれているので、このアイコン基板２１６をトップカバー５の上面５ａに張り付けるだけの作業で、複数の表示部２１７を上面５ａに配置できる。このため、複数の表示部２１７を個々にトップカバー５の上面５ａに設ける場合に比べて、アイコン２１５の組み付けを簡単に行える。
【０１３３】
その上、トップカバー５は、複数の表示部２１７の間に介在される仕切り壁２２１を備えているので、これら表示部２１７が互いに区画されることになり、各表示部２１７に隣り合う表示部２１７に対応した発光ダイオード２２７からの光が混入することはない。そのため、点灯中の表示部２１７と非点灯の表示部２１７とがはっきりと識別され、アイコン２１５の視認性が向上する。
【０１３４】
図３３に示すように、ダイオード基板２２４の一端は、側方に延長されており、この延長部２３１には、コンピュータ１の電源をＯＦＦする常閉形の電源スイッチ２３２が実装されている。この電源スイッチ２３２は、ダイオード基板２２４に印刷された図示しない配線パターンを介して第１の回路基板２４に接続されている。電源スイッチ２３２は、ディプレイユニット１４１を第１の位置に回動させた時に、このディスプレイユニット１４１によってＯＦＦされるもので、突没可能な操作子２３３を備えている。
【０１３５】
図３４に示すように、トップカバー５の上面５ａの後端部には、電源スイッチ２３２の操作子２３３と対向し合う貫通孔２３４が開口されている。この貫通孔２３４と操作子２３３との間には、弾性変形が可能な金属製の押圧片２３５が配置されている。押圧片２３５は、その一端がトップカバー５の内面にねじ止めされており、この押圧片２３５の自由端となる他端が操作子２３３と対向されている。
【０１３６】
また、ディスプレイユニット１４１の連結部１４５は、上記貫通孔２３４との対向部に位置して、カム形状をなす凸部２３７を有している。この凸部２３７は、図３５に示すように、ディスプレイユニット１４１を第１の位置に回動させた時に、貫通孔２３４と対向されて押圧片２３５を下向きに押圧するようになっている。この押圧により、押圧片２３５が弾性変形して操作子２３３を押圧し、電源スイッチ２３２がＯＦＦされる。
【０１３７】
この構成によると、ディスプレイユニット１４１を第１の位置に回動させると、電源スイッチ２３２がＯＦＦされるので、コンピュータ１の電源の切り忘れを確実に防止できる。
【０１３８】
しかも、電源スイッチ２３２は、ダイオード基板２２４の延長部２３１に実装されているので、このダイオード基板２２４上に印刷した配線パターンを利用して、電源スイッチ２３２と第１の回路基板２４とを接続することができる。このため、電源スイッチ２３２に連なる格別なケーブルやコネクタ類を省略することができ、筐体３内の配線を簡略化することができる。
【０１３９】
図１６に示すように、ボトムケース４の後面４ｃと左右の側面４ｄ，４ｅとで規定される左右の角部には、一対の脚取り付け部２４１，２４２が形成されている。脚取り付け部２４１，２４２は、ボトムケース４の後方、側方および下方に向けて連続して開放された凹みにて構成され、これら脚取り付け部２４１，２４２には、ベースユニット２を操作者の手元側が低くなる方向にティルトアップさせる一対の脚２４３，２４４が取り付けられている。脚２４３，２４４は、その一端が枢軸２４５を介して脚取り付け部２４１，２４２に回動可能に枢支されている。
【０１４０】
このため、脚２４３，２４４は、脚取り付け部２４１，２４２の下方に向けて回動されて、ボトムケース４の底面４ａよりも下方に突出する使用位置と、脚取り付け部２４１，２４２内に入り込むように回動される格納位置とに亘って回動可能となっている。そして、脚２４３，２４４を格納位置に回動させた場合には、これら脚２４３，２４４がボトムケース４の後面４ｃおよび側面４ｄ，４ｅに対し略面一に連続するようになっている。
【０１４１】
このような構成のコンピュータ１を組み立てるには、まず、ボトムケース４に第１ないし第３の回路基板２４〜２６およびハードディスク駆動装置４４をねじ止めする。次に、バッテリ支持部１３の天井面１３ｃの上面にスイッチ１９５，１９６を有する配線基板１９７を重ね合わせ、その接続片部１９８を第３の回路基板２６の接続コネクタ１９９に接続する。そして、第１の電池収容部２００にＲＴＣ電池２０１を取り付け、このＲＴＣ電池２０１に連なるコネクタ２０３を第１の回路基板２４に接続する。同様に、ボトムケース４内にサブバッテリ２０６を収容し、このサブバッテリ２００に連なるケーブル２０７のコネクタ２０８を第２の回路基板２５の延長板部２８に接続する。
【０１４２】
引き続いて、ボトムケース４にトップカバー５を被せ、このトップカバー５をボトムケース４にねじ止めする。この際、トップカバー５には、予めディスプレイユニット１４１がヒンジ装置を介して取り付けられており、このディスプレイユニット１４１は第３の位置に回動されている。このため、ディスプレイユニット１４１は、筐体３の後方に向けて大きく倒れ込み、トップカバー５の上面５ａのキーボード装着口７が露出されているので、このキーボード装着口７を通じてボトムケース４内の第１の回路基板２４の大部分が露出された状態にある。したがって、このキーボード装着口７に指先を挿入し、ディスプレイユニット１４１に連なるケーブル１４７やダイオード基板２２４の接続片部２２５ａを第１の回路基板２４に接続する。
【０１４３】
次に、キーボード装着口７に上方からキーボード装置１６５を嵌め込み、キーボード支持部９にねじ止めする。そして、最後にキーボード支持部９にカバー１８１を取り付け、このカバー１８１でトップカバー５とキーボード装置１６５とのねじ止め部分を覆い隠すことで、一連のコンピュータ１の組み立てが完了する。
【０１４４】
ところで、上記のように構成されたコンピュータ１では、例えばバッテリパック１００を外部の充電装置に接続して充電する場合のように、バッテリパック１００をバッテリ収容部１３から取り外し、電源コネクタ８８にＡＣアダプタのプラグを差し込んで使用する場合があり得る。
【０１４５】
バッテリパック１００がバッテリ収容部１３から取り外された状態では、このバッテリ収容部１３は、図５に見られるようにボトムケース４の前部において左右方向に延びるとともに、このボトムケース４の前面４ｂから右側面４ｅに連続して開放されているので、キーボード装置１６５を通じて入力操作を行った時に、コンピュータ１が操作者の手元側に傾いたり、コンピュータ１の姿勢が不安定となる虞れがあり得る。
【０１４６】
特にキーボード装置１６５は、トップカバー５の上面５ａの後半部に配置され、この上面５ａの前半部はパームレスト６となっているので、操作者は入力操作時にパームレスト６に手を乗せて入力操作を行うことになる。すると、上方から押されるパームレスト６は、バッテリ収容部１３の真上に位置するので、コンピュータ１がより手元側に倒れ込む虞れがあり得る。
【０１４７】
しかるに、上記構成においては、バッテリ収容部１３の天井面１３ｃに支持脚１２５が枢支されているので、上記のようにバッテリ収容部１３が空の状態で入力操作を行う場合には、図５に示すように支持脚１２５を使用位置に向けて下向きに回動させる。すると、その脚本体１２６の接地面１２６ａがボトムケース４の底面４ａと同一平面上に位置されるので、この支持脚１２５でバッテリ収容部１３の天井面１３ｃを支えることができる。
【０１４８】
したがって、キーボード装置１６５のキー１６７を打ち込んでも、コンピュータ１が傾いたり、がたつくことはない。そのため、このコンピュータ１を安定した姿勢に保つことができ、入力操作性が良好となる。
【０１４９】
また、上記コンピュータ１は、トップカバー５の上面５ａにパームレスト６を有するので、このパームレスト６に手を乗せて入力操作を行うことができる。このため、入力操作時に手首を持ち上げた不自然な姿勢を強いられることもなく、入力操作を容易に行うことができる。
【０１５０】
コンピュータ１を単体で使用するに際して、このコンピュータ１を外部の周辺機器に接続する場合には、図３６ないし図４９に示すような機能拡張用の外部ユニット３００が用いられる。
【０１５１】
この外部ユニット３００は、コンピュータ１の後部に接続して使用するもので、図３６や図３８に示すようなベース３０１を備えている。ベース３０１は、ロアケース３０２と、このロアケース３０２に被せられたアッパケース３０３とに分割されている。これらロアケース３０２およびアッパケース３０３は、ＡＢＳ樹脂のような合成樹脂材料にて構成されている。
【０１５２】
図３９に示すように、ロアケース３０２は、四角形状をなす平坦な底面３０２ａと、この底面３０２ａに連なる後面３０２ｂおよび左右の側面３０２ｃ，３０２ｄとを備えている。底面３０２ａ上には複数のボス部３０４（図４６に示す）が立設されており、これらボス部３０４上に回路基板３０５がねじ３１４を介して固定されている。回路基板３０５は、ロアケース３０２の後半部に位置されており、その後縁と左右の側縁がロアケース３０２の後面３０２ｂおよび側面３０２ｃ，３０２ｄに隣接されている。
【０１５３】
回路基板３０５の後端部には、例えばプリンタを接続するためのパラレルポート３０６と、ＲＳ２３２Ｃ規格のインタフェースコネクタを有する外部機器を接続するための接続ポート３０７と、外部ＣＲＴディスプレイを接続するためのＲＧＢコネクタ３０８と、マウスや外部キーボードを接続するための拡張コネクタ３０９，３１０と、ＡＣアダプタのプラグが差し込まれる電源コネクタ３１１とが左右方向に一列に並べて配置されている。
【０１５４】
回路基板３０５の右端部には、外部フロッピーディスク駆動装置を接続するためのＦＤＤコネクタ３１２が配置されている。また、この回路基板３０５の前端部には、中継コネクタ３１３が取り付けられている。この中継コネクタ３１３は、回路基板３０５に印刷された図示しない配線パターンを介して上記接続ポート３０７や各種のコネクタ３０９〜３１２に電気的に接続されている。
【０１５５】
回路基板３０５の後端部には、金属製の第１のコネクタパネル３１５が取り付けられている。第１のコネクタパネル３１５は、上記底面３０２ａ上のボス部３０４に回路基板３０５と共にねじ止めされている。第１のコネクタパネル３１５は、回路基板３０５に対し起立した姿勢で配置されており、この回路基板３０５と上記接続ポート３０７およびコネクタ３０８〜３１１との接続部を後方から覆っている。この第１のコネクタパネル３１５の左右両端部には、上向きに延びる一対の支持片３１５ａ，３１５ｂが一体に形成されている。そして、図３６に示すように、ロアケース３０２の後面３０２ｂには、複数の導出口３１６が開口されており、これら導出口３１６を通じて上記接続ポート３０７およびコネクタ３０８〜３１１がベース３０１の後方に露出されている。
【０１５６】
回路基板３０５の右端部には、金属製の第２のコネクタパネル３１８が取り付けられている。第２のコネクタパネル３１８は、上記底面３０２ａ上のボス部３０４に回路基板３０５と共にねじ止めされている。第２のコネクタパネル３１８は、回路基板３１５に対し起立した姿勢で配置されており、この回路基板３０５とＦＤＤコネクタ３１２との接続部分を側方から覆っている。そして、ロアケース３０２の右側面３０２ｄには、単一の導出口３１７が開口されており、この導出口３１７を通じてＦＤＤコネクタ３１２がベース３０１の側方に露出されている。
【０１５７】
ロアケース３０２の底面３０２ａは、金属製の第１のシールド板３１９によって覆われている。第１のシールド板３１９は、上記ボス部３０４に回路基板３０５と共にねじ止めされている。この際、回路基板３０５は、ボス部３０４との当接部に導電部３２０（図３９に示す）を有している。導電部３２０は、回路基板３０５に印刷された図示しないグラウンド用の配線パターンに接続されており、回路基板３０５をボス部３０４にねじ止めした状態では、回路基板３０５と第１のシールド板３１９、第１および第２のコネクタパネル３１５，３１６とが電気的に導通されるようになっている。
【０１５８】
図３９や図４０に示すように、回路基板３０５の上面には、金属製の第２のシールド板３２１が取り付けられている。第２のシールド板３２１は、回路基板３０５の後端部に位置する接続ポート３０７や各種のコネクタ３０８〜３１１と、この回路基板３０５の右端部のＦＤＤコネクタ３１２を上方から一体的に覆い隠している。第２のシールド板３２１は、第１のコネクタパネル３１５の上端部にねじ３２２を介して固定されている。この第２のシールド板３２１の周縁部は、第１のコネクタパネル３１５、第２のコネクタパネル３１８および第１のシールド板３１９に接しており、これら第１のシールド板３１９、第１および第２のコネクタパネル３１５，３１８と電気的に導通されている。
【０１５９】
そのため、第１および第２のシールド板３１９，３２１と、第１および第２のコネクタパネル３１５，３１８とは、互いに協働して上記接続ポート３０７や各種のコネクタ３０８〜３１２の周囲を取り囲んでおり、これら接続ポート３０７や各種のコネクタ３０８〜３１２回りからの高周波ノイズの漏洩を防止している。
【０１６０】
図３８に示すように、アッパケース３０３は、コンピュータ１を載置するための載置面３２５と、この載置面３２５の後端に連なる左右一対のストッパ部３２６，３２７とを有している。
【０１６１】
載置面３２５は、ベース３０１の前方および左右側方に連続して開放されており、上記コンピュータ１の底面４ａの後半部に略対応するような大きさを有している。このため、載置面３２５にコンピュータ１を載置した状態では、図３７に示すように、コンピュータ１の前半部がベース３０１の前端から操作者の手元側に向けて突出されるようになっている。
【０１６２】
そして、本実施例の場合、載置面３２５は、ストッパ部３２６，３２７に連なる後端から前方に進むに従い下向きに傾斜されており、この載置面３２５の左右方向の幅寸法は、上記コンピュータ１の左右の脚２４３，２４４の配置間隔よりも僅かに小さく定められている。しかも、この載置面３２５からロアケース３０２の底面３０２ａまでの高さ寸法は、脚２４３，２４４を使用位置に回動させた際のボトムケース４の底面４ａからの突出寸法よりも大きく定められている。
【０１６３】
このため、図３７に示すように、コンピュータ１を、その脚２４３，２４４を使用位置に突出させたままの状態で載置面３２５に載置したとしても、脚２４３，２４４はベース３０１の左右両側に位置されることになり、これら脚２４３，２４４が載置面３２５と干渉したり、外部ユニット３００が置かれた机の天板等に突き当たることはない。
【０１６４】
ストッパ部３２６，３２７は、同一の構造を有していることから、一方のストッパ部３２６を代表して説明する。図３６や図３８に示すように、ストッパ部３２６は、載置面３２５の後端に連なる略垂直なストッパ面３３１と、このストッパ面３３１の上端に連なる平坦な上面３３２と、この上面３３２やストッパ面３３１に連なる外周面３３３とを有している。外周面３３３は、ロアケース３０２の後面３０２ｂや側面３０２ｃ，３０２ｄに連なっている。
【０１６５】
ストッパ部３２６，３２７の後端部は、連結壁３３５によって一体に連結されている。連結壁３３５は、図３６に示すように、ロアケース３０２の後面３０２ｂに連なっている。そして、アッパケース３０３は、載置面３２５の後縁部と左右のストッパ部３２６，３２７および連結壁３３５によって規定される開口部３３６（図３８に示す）を備えており、この開口部３３６は、上記第２のシールド板３２１の真上に位置されている。
【０１６６】
このようなアッパケース３０３は、その外周面３３３を後方から上記支持片３１５ａ，３１５ｂにねじ止めするとともに、載置面３２５の前端両側部を底面３０２ａにねじ止めすることで、ロアケース３０２と結合されている。
【０１６７】
図３９や図４６に示すように、上記ベース３０１の内部には、コネクタユニット３４０が収容されている。このコネクタユニット３４０は、金属製のフレーム３４１を備えている。フレーム３４１は、第２のシールド板３２１の上面に重ねられており、その後端部が上記ねじ３２２を介して第１のコネクタパネル３１５の上端部に共締めされている。フレーム３４１の前端部には、前向きに延びる左右一対の支持片３４２ａ，３４２ｂが一体に形成されている。支持片３４２ａ，３４２ｂは、回路基板３０５の前端部上面に上記ねじ３１４を介して固定されており、この回路基板３０５の導電部３２０に接している。
【０１６８】
このため、フレーム３４１は、その後部が第２のシールド板３２１に重ねられていることと合わせて、回路基板３０５や第２のシールド板３２１と電気的に導通されている。
【０１６９】
図４３に示すように、フレーム３４１の前端両側部には、左右一対のガイド部３４４，３４５が一体に突設されている。ガイド部３４４，３４５は、上記載置面３２５の下方に位置されており、これらガイド部３４４，３４５は、夫々左右一対のガイドレール３４６ａ，３４６ｂ、３４７ａ，３４７ｂを備えている。ガイドレール３４６ａ，３４６ｂ、３４７ａ，３４７ｂは、載置面３２５の下方で前後方向に延びており、これらガイドレール３４６ａ，３４６ｂ、３４７ａ，３４７ｂの下縁部は、ロアケース３０２の底面３０２ａに支持されている。
【０１７０】
ガイドレール３４６ａ，３４６ｂ、３４７ａ，３４７ｂは、前後方向に延びるガイド孔３５０ａ，３５０ｂ、３５１ａ，３５１ｂを備えている。ガイド孔３５０ａ，３５０ｂ、３５１ａ，３５１ｂは、図４０に示すように、上記載置面３２５と平行をなすように前下がりに傾斜されている。そして、各ガイド部３４４，３４５の一方のガイド孔３５０ａ，３５１ａの前端部には、下方に向けて円弧状に湾曲された湾曲部３５２，３５３が形成されている。
【０１７１】
また、フレーム３４１の後端両側部には、前後方向に延びるガイド壁３５５ａ，３５５ｂが形成されている。ガイド壁３５５ａ，３５５ｂには、前後方向に延びるスライド孔３５６ａ，３５６ｂが形成されており、これらスライド孔３５６ａ，３５６ｂは、載置面３２５の傾斜に沿うように前下がりに傾斜されている。
【０１７２】
図４６に示すように、フレーム３４１には、合成樹脂製のコネクタカバー３６１がねじ３６２を介して固定されている。コネクタカバー３６１は、図３８に示すように、アッパケース３０３の開口部３３６に入り込んでいる。そして、このコネクタカバー３６１は、上記載置面３２５の後端に連なる略垂直なコネクタ設置面３６３と、このコネクタ設置面３６３の上端に連なる上面３６４とを有し、上面３６４の後部には、連結壁３３５に連なる凹部３６４ａが形成されている。
【０１７３】
コネクタ設置面３６３は、上記ストッパ部３２６，３２７のストッパ面３３１と面一となっており、このコネクタ設置面３６３には、拡張コネクタ３６５が配置されている。拡張コネクタ３６５は、上記コンピュータ１の拡張コネクタ６３が取り外し可能に接続されるもので、その左右両端部に一対の位置決めピン３６５ａ，３６５ｂを備えている。これら位置決めピン３６５ａ，３６５ｂは、上記拡張コネクタ６３の位置決め孔６３ａ，６３ｂに引き抜き可能に挿入されるもので、この挿入により、上記拡張コネクタ６３，３６５相互の位置合わせがなされる。
【０１７４】
拡張コネクタ３６５は、コネクタカバー３６１に支持されており、コネクタ設置面３６３への露出部分を除く大部分がコネクタカバー３６１によって覆い隠されている。図４６に示すように、拡張コネクタ３６５には、フレキシブルな配線基板３６７が接続されている。配線基板３６７は、コネクタカバー３６１の内側でＵ字状に反転された後、載置面３２５の下方に導かれている。この配線基板３６７の先端には、第２の中継コネクタ３６８が取り付けられており、この第２の中継コネクタ３６８は、上記回路基板３０５の前端の第１の中継コネクタ３１３に接続されている。
【０１７５】
そのため、拡張コネクタ３６５は、配線基板３６７や回路基板３０５を介して上記接続ポート３０７や各種のコネクタ３０８〜３１２に接続されており、単一の拡張ポート３０７に入力された信号が、上記接続ポート３０７や各種のコネクタ３０８〜３１２に分配されるようになっている。
【０１７６】
一方、図４０、図４６および図４９に示すように、上記フレーム３４１上には、金属製のスライド板３７１が前後方向にスライド可能に取り付けられている。スライド板３７１は、ガイド部３４４，３４５のガイドレール３４６ａ，３４６ｂ、３４７ａ，３４７ｂの間に介在される左右一対のスライドガイド３７２ａ，３７２ｂを一体に備えている（図４３、図４４に図示）。スライドガイド３７２ａ，３７２ｂの前端部には、ガイドピン３７３ａ，３７３ｂが取り付けられている。これらガイドピン３７３ａ，３７３ｂの両端部は、ガイド孔３５０ａ，３５０ｂ、３５１ａ，３５１ｂに夫々スライド可能に嵌合されている。
【０１７７】
また、図４６や図４９に示すように、スライド板３７１の後端の左右両側部には、ガイド壁３５５ａ，３５５ｂと対向し合う支持壁３７４ａ，３７４ｂが形成されている。支持壁３７４ａ，３７４ｂには、ガイドピン３７５ａ，３７５ｂが突設されており、これらガイドピン３７５ａ，３７５ｂは、スライド孔３５６ａ，３５６ｂにスライド可能に嵌合されている。
【０１７８】
このため、スライド板３７１は、ガイドピン３７３ａ，３７３ｂとガイド孔３５０ａ，３５０ｂ、３５１ａ，３５１ｂおよびガイドピン３７５ａ，３７５ｂとスライド孔３５６ａ，３５６ｂとの嵌合部分をガイドとして前後方向にスライド可能に上記フレーム３４１に支持されている。
【０１７９】
図３９、図４２および図４４に示すように、フレーム３４１の前端の左右両側部には、下向きに折れ曲がる一対の係止片３７７ａ，３７７ｂが形成されている。また、ロアケース３０２の底面３０２ａには、上記係止片３７７ａ，３７７ｂの前方に位置して、ばね受け３７８ａ，３７８ｂが突設されている。これら係止片３７７ａ，３７７ｂとばね受け３７８ａ，３７８ｂとの間には、夫々トグルスプリング３８０が架設されている。トグルスプリング３８０は、引張りコイルばねにて構成され、上記スライド板３７１を常時ロアケース３０２の前側に向けて引っ張っている。
【０１８０】
ガイド部３４４，３４５のガイドレール３４６ａ，３４６ｂ、３４７ａ，３４７ｂの間には、夫々爪金具３８５ａ，３８５ｂが介在されている。爪金具３８５ａ，３８５ｂは、その一端が上記ガイドピン３７３ａ，３７３ｂに回動可能に支持されており、上記スライド板３７１と一体に前後にスライドされるようになっている。
【０１８１】
図４９に示すように、爪金具３８５ａ，３８５ｂは、嵌合ピン３８６を備えている。嵌合ピン３８６は、上記ガイドピン３７３ａ，３７３ｂの前方において、上記湾曲部３５２，３５３を有する一方のガイド孔３５０ａ，３５１ａにスライド可能に嵌合されている。そして、爪金具３８５ａ，３８５ｂは、図４５に示すように、ガイドピン３７３ａ，３７３ｂの外周に装着したねじりコイルスプリング３８７によって、その枢支端とは反対側の端部を押し上げる方向に付勢されており、この付勢により、上記嵌合ピン３８６がガイド孔３５０ａ，３５１ａの開口縁部にスライド可能に押し付けられている。
【０１８２】
そのため、スライド板３７１を介して爪金具３８５ａ，３８５ｂを前方にスライドさせた場合に、嵌合ピン３８６がガイド孔３５０ａ，３５１ａの湾曲部３５２，３５３にまで達すると、爪金具３８５ａ，３８５ｂがガイドピン３７３ａ，３７３ｂを支点に下向きに回動されるようになっている。
【０１８３】
各爪金具３８５ａ，３８５ｂは、上向きに延びる係合爪３９０ａ，３９０ｂを一体に備えている。係合爪３９０ａ，３９０ｂは、図３８に示すように、上記載置面３２５に開けた一対のスリット３９１ａ，３９１ｂを突没可能に貫通されており、これらスリット３９１ａ，３９１ｂは、爪金具３８５ａ，３８５ｂの移動方向に沿うように前後方向に延びている。
【０１８４】
そして、係合爪３９０ａ，３９０ｂは、スライド板３７１の前方へのスライドに伴って、爪金具３８５ａ，３８５ｂの嵌合ピン３８６が湾曲部３５２，３５３にガイドされた時に、載置面３２５から引っ込むようになっており、逆に嵌合ピン３８６が湾曲部３５２，３５３を外れた位置にスライドされた時に、スリット３９１ａ，３９１ｂを貫通して載置面３２５上に突出されるようになっている。
【０１８５】
このことから、係合爪３９０ａ，３９０ｂは、載置面３２５から引っ込む第１の位置と、この載置面３２５上に突出しつつ、コネクタ設置面３６３に隣接される第２の位置とに亘って前後に移動可能となっており、この係合爪３９０ａ，３９０ｂの移動ストロークは、上記拡張コネクタ６３，３６５の嵌合長よりも大きくなっている。
【０１８６】
また、載置面３２５のスリット３９１ａ，３９１ｂは、この載置面３２５上の所定位置にコンピュータ１を載置した時に、ボトムケース４の底面４ａに開口された係合口９０ａ，９０ｂと対向し合うようになっている。このため、載置面３２５にコンピュータ１を載置した状態で、係合爪３９０ａ，３９０ｂを第２の位置に移動させると、これら係合爪３９０ａ，３９０ｂが係合口９０ａ，９０ｂの開口周縁部に引っ掛かるとともに、係合口９０ａ，９０ｂ内に露出されている端子片９１に接触するようになっている。
【０１８７】
図４５や図４６に示すように、コネクタユニット３４０は、係合爪３９０ａ，３９０ｂを第１の位置および第２の位置に移動させるための操作機構４００を備えている。操作機構４００は、指先で操作する操作レバー４０１と、この操作レバー４０１とスライド板３７１の後端部とを回動可能に連結する左右一対のトグルリンク４０２ａ，４０２ｂとを備えている。操作レバー４０１は、その左右両端部に一対のアーム部４０３ａ，４０３ｂを有し、これらアーム部４０３ａ，４０３ｂの先端がコネクタカバー３６１に枢軸４０４を介して上下方向に回動可能に連結されている。
【０１８８】
トグルリンク４０２ａ，４０２ｂの一端は、アーム部４０３ａ，４０３ｂの中間部に枢軸４０５を介して回動可能に連結されているとともに、トグルリンク４０２ａ，４０２ｂの他端は、上記ガイドピン３７５ａ，３７５ｂに回動可能に連結されている。そして、操作レバー４０１とトグルリンク４０２ａ，４０２ｂとの連結部は、操作レバー４０１とコネクタカバー３６１との連結部よりも後方に位置されており、この操作レバー４０１の回動範囲は、トグルリンク４０２ａ，４０２ｂによって定められている。
【０１８９】
すなわち、図４９に示すように、操作レバー４０１を上向きに回動させると、操作レバー４０１とトグルリンク４０２ａ，４０２ｂとの連結部が上方に移動しつつ前方に引き寄せられるので、トグルリンク４０２ａ，４０２ｂの起立角度が大きくなり、ガイドピン３７５ａ，３７５ｂが前方にスライドされる。この操作レバー４０１の上方への回動は、ガイドピン３７５ａ，３７５ｂがスライド孔３５６ａ，３５６ｂの前端に達した時点で停止され、この時、操作レバー４０１の起立角度が最大となる。
【０１９０】
逆に、図４０に示すように、操作レバー４０１を下向きに回動させると、操作レバー４０１とトグルリンク４０２ａ，４０２ｂとの連結部がトグルスプリング３８０の付勢力に抗して下方に移動しつつ後方に押し出されるので、トグルリンク４０２ａ，４０２ｂがスライド板３７１と略平行となるような角度まで寝かされ、ガイドピン３７５ａ，３７５ｂが後方にスライドされる。そして、この操作レバー４０１の下方への回動は、ガイドピン３７５ａ，３７５ｂがスライド孔３５６ａ，３５６ｂの後端に達した時点で停止され、この時、操作レバー４０１の起立角度が最小となる。
【０１９１】
したがって、操作レバー４０１は、コネクタカバー３６１の上方に回動された解除位置と、コネクタカバー３６１の上面３６４に連続するように略水平に寝かされた連結位置とに亘って回動可能となっている。
【０１９２】
この操作レバー４０１が解除位置に回動された状態では、図４９に示すように、ガイドピン３７５ａ，３７５ｂがスライド孔３５６ａ，３５６ｂの前端に位置されるので、スライド板３７１が前方にスライドされ、爪金具３８５ａ，３８５ｂの嵌合ピン３８６がガイド孔３５０ａ，３５１ａの湾曲部３５２，３５３によってガイドされる。そのため、爪金具３８５ａ，３８５ｂが下向きに回動され、その係合爪３９０ａ，３９０ｂが第１の位置に移動される。
【０１９３】
また、操作レバー４０１が連結位置に回動された状態では、図４０に示すように、ガイドピン３７５ａ，３７５ｂがスライド孔３５６ａ，３５６ｂの後端に位置されるので、スライド板３７１が後方にスライドされ、爪金具３８５ａ，３８５ｂの嵌合ピン３８６が湾曲部３５２，３５３から離脱する。そのため、係合爪３９０ａ，３９０ｂが第２の位置に移動し、載置面３２５上に突出する。
【０１９４】
このことから、スライド板３７１は、実質的に操作機構４００の一部を構成しており、本実施例の場合、スライド板３７１を前方にスライドさせようとするトグルスプリング３８０の付勢力は、上記拡張コネクタ６３，３６５の嵌合力よりも小さく定められている。
【０１９５】
図３８や図４８に示すように、ベース３０１のアッパケース３０３は、載置面３２５に対するコンピュータ１の載置位置を定める左右一対のガイド部材４１０，４１１を備えている。ガイド部材４１０，４１１は、アッパケース３０３のストッパ部３２６，３２７に支持されている。これらガイド部材４１０，４１１は、互いに同一の構造を有しているので、一方のガイド部材４１０を代表して説明する。
【０１９６】
図４８に示すように、ガイド部材４１０は、中空筒状をなす合成樹脂製の本体４１２を備えている。また、ストッパ部３２６の内部には、本体４１２を収容するガイド収容室４１３が形成されている。ガイド収容室４１３は、ストッパ面３３１に開けた貫通孔４１４を介して載置面３２５に連なっており、このガイド収容室４１３内には、載置面３２５に面一に連続する支持板４１５が配置されている。このため、ガイド部材４１０の本体４１２は、貫通孔４１４を貫通して支持板４１５と載置面３２５との間に亘って配置されており、アッパケース３０３の前後方向に沿って延びている。
【０１９７】
本体４１２の中間部の外周面には、ガイド収容室４１３の内側から貫通孔４１４の開口縁部に引っ掛かるストッパ部４１６が形成されている。このストッパ部４１６が貫通孔４１４の開口縁部に引っ掛かった状態では、本体４１２の前半部が載置面３２５上に突出されている。
【０１９８】
したがって、ガイド部材４１０は、その本体４１２の前半部が載置面３２５上に突出する第１のガイド位置と、この本体４１２の大部分がガイド収容室４１３内に引っ込む第２のガイド位置とに亘って前後方向に自由にスライド可能にストッパ部３２６に支持されている。
【０１９９】
また、このガイド部材４１０は、スプリング４１８によって常時第１のガイド位置に向けて付勢されている。この付勢により、ストッパ部４１６が貫通孔４１４の開口縁部に引っ掛かり、ガイド部材４１０が第１のガイド位置に保持されている。
【０２００】
ガイド部材４１０は、その本体４１２の前端部にコンピュータ１に取り外し可能に引っ掛かる係合部４２０を有している。係合部４２０は、ボトムケース４の底面４ａの後端部を受ける第１の係合面４２１と、ボトムケース４の後面４ｃを受ける第２の係合面４２２とを有し、この第１の係合面４２１上に係合突起４２３が突設されている。係合突起４２３は、載置面３２５上にコンピュータ１を載置した時に、その底面４ａの後端両側部の開口部１８ａに取り外し可能に嵌合するようになっている。
【０２０１】
この嵌合により、載置面３２５に対するコンピュータ１の位置決めがなされるとともに、係合爪３９０ａ，３９０ｂと係合孔９０ａ，９０ｂとの位置合わせがなされるようになっている。
【０２０２】
次に、このような構成の外部ユニット３００にコンピュータ１を接続する手順について説明する。
【０２０３】
コンピュータ１の接続に先立ち、外部ユニット３００においては、まず、操作レバー４０１を解除位置に向けて回動させておく。この回動により、スライド板３７１を介して爪金具３８５ａ，３８５ｂが前方にスライドされるので、この爪金具３８５ａ，３８５ｂが下向きに回動され、係合爪３９０ａ，３９０ｂが第１の位置に回動される。このため、係合爪３９０ａ，３９０ｂは、載置面３２５上に突出することなくベース３０１の内部に格納された状態に保たれている。
【０２０４】
よって、載置面３２５にコンピュータ１を載置する際に、係合爪３９０ａ，３９０ｂが邪魔となったり、コンピュータ１に引っ掛かることはない。
【０２０５】
次に、この載置面３２５上にコンピュータ１の後端部を載置する。この時、載置面３２５の左右両端部には、このコンピュータ１の位置決めをなすガイド部材４１０，４１１が存在するので、その第１の係合面４２１にボトムケース４の底面４ａを重ね合わせるとともに、第２の係合面４２２にボトムケース４の後面４ｃを突き当てる。このことにより、載置面３２５とコンピュータ１との大まかな位置合わせがなされる。
【０２０６】
そして、コンピュータ１を第２の係合面４２２をガイドとして左右に動かし、第１の係合面４２１上の係合突起４２３をコンピュータ１の底面４ａの開口部１８ａに嵌合させる。この嵌合により、載置面３２５に対するコンピュータ１の位置が定まり、上記係合爪３９０ａ，３９０ｂと係合口９０ａ，９０ｂとの位置合わせがなされる。この際、係合爪３９０ａ，３９０ｂは、載置面３２５よりも下方に引っ込んでいるので、これら係合爪３９０ａ，３９０ｂがコンピュータ１の底面４ａと干渉し合うことはなく、コンピュータ１の位置合わせを容易に行うことができる。
【０２０７】
載置面３２５に対するコンピュータ１の位置が定まったならば、トグルスプリング３８０の付勢力に抗して操作レバー４０１を連結位置に向けて下向きに回動させる。この回動により、スライド板３７１を介して爪金具３８５ａ，３８５ｂが後方にスライドされるので、この爪金具３８５ａ，３８５ｂが上向きに回動しつつ後方に移動し、係合爪３９０ａ，３９０ｂが第２の位置に動かされる。
【０２０８】
すると、これら係合爪３９０ａ，３９０ｂは、コンピュータ１の底面４ａの係合口９０ａ，９０ｂに引っ掛かるとともに、そのままコネクタ設置面３６３に向けて後方に移動するので、コンピュータ１は、係合爪３９０ａ，３９０ｂの移動に追従してコネクタ設置面３６３に引き込まれることになる。
【０２０９】
また、この時、コンピュータ１の底面４ａに引っ掛かっている左右のガイド部材４１０，４１１は、前後方向に自由にスライド可能であるから、コンピュータ１の引き込みを妨げない。しかも、ガイド部材４１０，４１１は、底面４ａの左右両端に引っ掛かっているとともに、係合爪３９０ａ，３９０ｂも底面４ａの左右二箇所に係合されているので、コンピュータ１を引き込む際に、このコンピュータ１が左右に傾くようにずれることはなく、コネクタ設置面３６３とコンピュータ１の後面４ｃとの平行度を維持できる。
【０２１０】
コンピュータ１がコネクタ設置面３６３に向けて引き込まれていくと、係合爪３９０ａ，３９０ｂが第２の位置に達する以前に拡張コネクタ３６５の位置決めピン３６５ａ，３６５ｂが拡張コネクタ６３の位置決め孔６３ａ，６３ｂに嵌合する。この嵌合により、拡張コネクタ６３と拡張コネクタ３６５との最終的な位置合わせがなされる。そして、コンピュータ１が完全に引き込まれた時点で、拡張コネクタ６３と拡張コネクタ３６５との接続が完了し、コンピュータ１と外部ユニット３００とが電気的に接続される。
【０２１１】
このため、コンピュータ１に接続ポート３０７や各種のコネクタ３０８〜３１２が増設され、このコンピュータ１を単体で使用する際にプリンタや外部ＣＲＴディスプレイを始めとして、マウスや外部キーボードの接続が可能となる。
【０２１２】
一方、コンピュータ１から外部ユニット３００を取り外すには、操作レバー４０１を連結位置から解除位置に向けて上方に回動させる。この回動により、スライド板３７１を介して爪金具３８５ａ，３８５ｂが前方にスライドされるので、この爪金具３８５ａ，３８５ｂが下向きに回動し、その係合爪３９０ａ，３９０ｂが第１の位置に動かされる。このため、係合爪３９０ａ，３９０ｂが係合口９０ａ，９０ｂから離脱し、載置面３２５の下方に引っ込むので、コンピュータ１の引き込みが解除される。そして、この係合爪３９０ａ，３９０ｂがスリット３９１ａ，３９１ｂに没入する際、係合爪３９０ａ，３９０ｂの端部が係合口９０ａ，９０ｂの前端に当接し、コンピュータ１をコネクタ設置面３６３から遠ざかる方向に押圧する。この押圧により、コンピュータ１が載置面３２５上から押し出され、拡張コネクタ６３と拡張コネクタ３６５との接続が解除される。
【０２１３】
操作レバー４０１を解除位置に回動させる過程で、この操作レバー４０１から手を離してしまうと、スライド板３７１や爪金具３８５ａ，３８５ｂは、トグルスプリング３８０によって係合爪３９０ａ，３９０ｂと係合口９０ａ，９０ｂとの係合を解除する方向に引っ張られているので、コンピュータ１が載置面３２５上から一気に押し出される虞れがあり得る。
【０２１４】
しかるに、上記構成においては、トグルスプリング３８０の付勢力は、拡張コネクタ６３と拡張コネクタ３６５との嵌合力よりも小さく設定されているので、この嵌合力がコンピュータ１を押し出そうとする力に打ち勝つ。このため、操作レバー４０１は、解除位置に復帰する以前の段階で一旦その回動が停止されることになり、コンピュータ１と外部ユニット３００とは、拡張コネクタ６３，３６５によって接続された状態に保持される。
【０２１５】
したがって、拡張コネクタ６３，３６５の接続が一気に解除されて、コンピュータ１が載置面３２５から脱落するようなことはなく、このコンピュータ１への悪影響を未然に防止することができる。
【０２１６】
このような外部ユニット３００によれば、コンピュータ１をコネクタ設置面３６３に引き込む係合爪３９０ａ，３９０ｂは、コンピュータ１の底面４ａに引っ掛かることで、この底面４ａを載置面３２５に押え込んでいるので、コンピュータ１に外部ユニット３００を接続している時にこのコンピュータ１の前端部を持ち上げたとしても、コンピュータ１が載置面３２５から浮き上がることはなく、このコンピュータ１を載置面３２５上にしっかりと押え込むことができる。
【０２１７】
したがって、拡張コネクタ６３，３６５の接続部分に無理な曲げやねじりが加わることもなく、拡張コネクタ６３，３６５の破損を防止することができる。それとともに、拡張コネクタ６３，３６５が不意に外れることもなくなるので、重要なデータが消去されたり、コンピュータ１が誤動作することもなくなり、コンピュータ１と外部ユニット３００との接続の信頼性が向上するといった利点がある。
【０２１８】
しかも、外部ユニット３００の載置面３２５は、コンピュータ１の後部が載置されるだけの大きさを有するので、係合爪３９０ａ，３９０ｂは、拡張コネクタ６３，３６５の接続部分に近い位置でコンピュータ１の底面４ａに引っ掛かることになる。このため、コンピュータ１の前部を持ち上げた場合でも、コンピュータ１の後面４ｃと外部ユニット３００のコネクタ設置面３６３との平行度が維持され、それ故、拡張コネクタ６３，３６５の接続部分により曲げやねじりが加わり難くなって、この拡張コネクタ６３，３６５の破損防止により有効に寄与する。
【０２１９】
また、係合爪３９０ａ，３９０ｂは、コンピュータ１の係合口９０ａ，９０ｂに係合された状態において、この係合口９０ａ，９０ｂ内に露出されているグラウンド用の端子片９１に接触するので、コンピュータ１と係合爪３９０ａ，３９０ｂとが導通状態に保たれる。そして、この係合爪３９０ａ，３９０ｂは、金属製のフレーム３４１を介してベース３０１内の第１のシールド板３１９に接しているので、上記グラウンド用の端子片９１を係合爪９０ａ，９０ｂを利用して外部ユニット３００側に接地させることができる。
【０２２０】
そのため、コンピュータ１を外部ユニット３００に接続して使用する場合に、このコンピュータ１を接地させる格別なリード線やコネクタ類が不要となる。
【０２２１】
さらに、外部ユニット３００の載置面３２５は、コネクタ設置面３６３から操作者の手元側に進むに従い下向きに傾斜されているので、コンピュータ１を外部ユニット３００に接続すると、このコンピュータ１は、操作者の手元側が低くなる姿勢にティルトアップされる。このため、キーボード装置１６５の操作性が良好となり、使い勝手が向上する。
【０２２２】
それとともに、コンピュータ１は、その右側面４ｅにＦＤＤコネクタ４１を備えているので、コンピュータ１に外部ユニット３００を接続した状態においても、ＦＤＤコネクタ４１を単独で使用できる。そして、上記外部ユニット３００も専用のＦＤＤコネクタ３１２を備えているので、夫々のＦＤＤコネクタ４１，３１２に外部フロッピーディスク駆動装置を接続することができる。そのため、コンピュータ１に二台の外部フロッピーディスク駆動装置が接続可能となり、例えばデータを交換する時もフロッピーディスクを入れ替える必要がなくなり、使い勝手が向上する。
【０２２３】
また、上記構成によると、コンピュータ１に外部キーボードやプリンタ等の複数の周辺機器を接続した状態において、これら周辺機器とコンピュータ１との接続を解除する場合には、上記のように操作レバー４０１を解除位置に操作して、拡張コネクタ６３と拡張コネクタ３６５との接続を解除すれば良い。このため、複数の周辺機器とコンピュータ１との接続を夫々解除する必要がなくなるので、この作業を短時間のうちに迅速に行うことができ、ポータブルタイプのコンピュータ１のように可搬性が重要視されるものに好都合となる。
【０２２４】
加えて、外部ユニット３００の操作レバー４０１が連結位置に回動操作されている状態では、トグルリンク４０２ａ，４０２ｂがスライド板３７１と略平行な姿勢に揺動され、このトグルリンク４０２ａ，４０２ｂと操作レバー４０１との連結点、およびトグルリンク４０２ａ，４０２ｂとスライド板３７１との連結点が前後方向に沿う直線上に位置される。このため、操作レバー４０１を操作しない限り、係合爪３９０ａ，３９０ｂを前後にスライドさせることはできず、コンピュータ１に外部ユニット３００を接続した状態において、このコンピュータ１を手前側に引っ張っても、拡張コネクタ６３と拡張コネクタ３６５との接続を解除することはできない。
【０２２５】
したがって、コンピュータ１と外部ユニット３００との接続を解除する際には、操作レバー４０１を連結位置から解除位置に向けて回動させるといった意識的な操作が必ず必要となり、不用意な接続解除に伴うトラブルを未然に防止することができる。
【図面の簡単な説明】
【０２２６】
【図１】本発明の一実施例におけるポータブルコンピュータの斜視図。
【図２】ベースユニットからキーボード装置を取り外した状態を分解して示す斜視図。
【図３】キーボード装置の取り付け部分を断面したコンピュータの側面図。
【図４】キーボード装置を筐体に組み込む状態を示すコンピュータの側面図。
【図５】バッテリ収容部からバッテリパックを取り外した状態を示すコンピュータの正面図。
【図６】バッテリ収容部と、ここに収容されるバッテリパックを示す斜視図。
【図７】ボトムケースに第１ないし第３の回路基板やハードディスク駆動装置を組み込んだ状態を示す斜視図。
【図８】第１ないし第３の回路基板の位置関係を示す斜視図。
【図９】第１ないし第３の回路基板をボトムケース内に組み込んだ状態を示す断面図。
【図１０】バッテリ収容部の断面図。
【図１１】ボトムケースとトップカバーおよびキーボード装置との連結部分の断面図。
【図１２】コンピュータの右端部を示す斜視図。
【図１３】コネクタ導出口を開閉する第１のコネクタカバーの取り付け部の断面図。
【図１４】第２のコネクタカバーを開き位置に回動させた状態を示すコンピュータの斜視図。
【図１５】第２のコネクタカバーを収容位置に移動させた状態を示すコンピュータの斜視図。
【図１６】第２のコネクタカバーを閉じ位置に回動させた状態を示すコンピュータの斜視図。
【図１７】第２のコネクタカバーをカバー収容部に差し込んだ状態の断面図。
【図１８】（ａ）は、第２のコネクタカバーの取り付け部分の平面図。（ｂ）は、ボトムケースに対する第２のコネクタカバーの取り付け部分の斜視図。
【図１９】ＲＧＢアダプタをコンピュータに接続した状態を示す斜視図。
【図２０】ＲＧＢアダプタの斜視図。
【図２１】バッテリパックの飛び出しを防止するストッパの斜視図。
【図２２】（ａ）は、バッテリパックをバッテリ収容部に完全に装着した状態を一部断面で示すコンピュータの正面図。（ｂ）は、バッテリパックのロックを解除した状態を一部断面で示すコンピュータの正面図。
【図２３】バッテリパックをバッテリ収容部から引き出す状態を一部断面で示すコンピュータの正面図。
【図２４】支持脚を使用位置に回動させた状態を示す斜視図。
【図２５】支持脚を格納位置に回動させた状態を示す斜視図。
【図２６】トップカバーの後半部を筐体の内側から見た平面図。
【図２７】図２６のＡーＡ線の部分を断面して示すコンピュータの側面図。
【図２８】ベースユニットからカバーを取り外した状態を示すコンピュータの斜視図。
【図２９】手置き部上の操作ボタン回りを拡大して示す斜視図。
【図３０】操作ボタン回りの断面図。
【図３１】トップカバーのアイコン回りを拡大して示す斜視図。
【図３２】アイコンの取り付け部分の断面図。
【図３３】ダイオード基板の斜視図。
【図３４】電源スイッチがＯＮされている状態の断面図。
【図３５】電源スイッチがＯＦＦされている状態の断面図。
【図３６】コンピュータに外部ユニットを接続した状態の斜視図。
【図３７】コンピュータに外部ユニットを接続した状態の側面図。
【図３８】外部ユニットの斜視図。
【図３９】外部ユニットを分解して示す斜視図
【図４０】外部ユニットの断面図。
【図４１】外部ユニットの背面図。
【図４２】アッパケースを取り外した状態の外部ユニットの斜視図。
【図４３】コネクタユニットの斜視図。
【図４４】操作レバーを連結位置に回動させた状態のコネクタユニットの斜視図。
【図４５】操作レバーを解除位置に回動させた状態のコネクタユニットの斜視図。
【図４６】操作レバーを解除位置に回動させた状態のコネクタユニットの断面図。
【図４７】係合爪がコンピュータに引っ掛かった状態を一部断面で示す側面図。
【図４８】ガイド部材の取り付け部分を断面で示す外部ユニットの側面図。
【図４９】ガイド部材がコンピュータに引っ掛かった状態を示す断面図。
【符号の説明】
【０２２７】
３…筐体、４…ボトムケース、５…トップカバー、７…キーボード装着部（キーボード装着口）、８ａ…第２の係合部（切り欠き）、１０…第２の取り付け部（取り付け凹部）、２４…回路基板（第１の回路基板）、１６４…導通板、１６５…キーボード装置、１７０…シールド板（第１のシールド板）、１７１…第１の係合部（第１の係合片）、１７２…第１の取り付け部（取り付け片）、１７４…ねじ、１８１…カバー。
【図１】
2004259292.tif 000003
【図２】
2004259292.tif 000004
【図３】
2004259292.tif 000005
【図４】
2004259292.tif 000006
【図５】
2004259292.tif 000007
【図６】
2004259292.tif 000008
【図７】
2004259292.tif 000009
【図８】
2004259292.tif 000010
【図９】
2004259292.tif 000011
【図１０】
2004259292.tif 000012
【図１１】
2004259292.tif 000013
【図１２】
2004259292.tif 000014
【図１３】
2004259292.tif 000015
【図１４】
2004259292.tif 000016
【図１５】
2004259292.tif 000017
【図１６】
2004259292.tif 000018
【図１７】
2004259292.tif 000019
【図１８】
2004259292.tif 000020
【図１９】
2004259292.tif 000021
【図２０】
2004259292.tif 000022
【図２１】
2004259292.tif 000023
【図２２】
2004259292.tif 000024
【図２３】
2004259292.tif 000025
【図２４】
2004259292.tif 000026
【図２５】
2004259292.tif 000027
【図２６】
2004259292.tif 000028
【図２７】
2004259292.tif 000029
【図２８】
2004259292.tif 000030
【図２９】
2004259292.tif 000031
【図３０】
2004259292.tif 000032
【図３１】
2004259292.tif 000033
【図３２】
2004259292.tif 000034
【図３３】
2004259292.tif 000035
【図３４】
2004259292.tif 000036
【図３５】
2004259292.tif 000037
【図３６】
2004259292.tif 000038
【図３７】
2004259292.tif 000039
【図３８】
2004259292.tif 000040
【図３９】
2004259292.tif 000041
【図４０】
2004259292.tif 000042
【図４１】
2004259292.tif 000043
【図４２】
2004259292.tif 000044
【図４３】
2004259292.tif 000045
【図４４】
2004259292.tif 000046
【図４５】
2004259292.tif 000047
【図４６】
2004259292.tif 000048
【図４７】
2004259292.tif 000049
【図４８】
2004259292.tif 000050
【図４９】
2004259292.tif 000051